(57)【要約】【課題】搬送部を開放可能としてもレイアウト的な制約を受けにくい紙葉類処理装置を提供する。【解決手段】第１搬送面部１７１を有する搬送本体部１３１と、第１搬送面部１７１に対向し第１搬送面部１７１との間で紙葉類を搬送可能な第２搬送面部１９１を有する搬送ガイド部１２２とを備え、搬送ガイド部１２２は、搬送本体部１３１とで紙葉類を搬送可能な搬送可能状態から第１搬送面部１７１に沿う方向に移動して第１搬送面部１７１から離間する。【選択図】図７
2020050466.tif 000002
【特許請求の範囲】
【請求項１】
第１搬送面部を有する搬送本体部と、
前記第１搬送面部に対向し該第１搬送面部との間で紙葉類を搬送可能な第２搬送面部を有する搬送ガイド部とを備え、
前記搬送ガイド部は、前記搬送本体部とで紙葉類を搬送可能な搬送可能状態から前記第１搬送面部に沿う方向に移動して前記第１搬送面部から離間することを特徴とする紙葉類処理装置。
【請求項２】
前記搬送ガイド部は、前記搬送可能状態から前記第１搬送面部に交差する方向に移動した後、前記第１搬送面部に沿う方向に移動して前記第１搬送面部から離間することを特徴とする請求項１記載の紙葉類処理装置。
【請求項３】
前記搬送ガイド部を前記搬送可能状態でロックするロック機構と、
前記搬送ガイド部を前記第１搬送面部に交差する方向に付勢する付勢手段と、
を有することを特徴とする請求項２記載の紙葉類処理装置。
【請求項４】
前記ロック機構は、
前記搬送可能状態にある前記搬送ガイド部の前記第１搬送面部に沿う方向の移動を規制し、前記第１搬送面部に交差する方向の移動を許容する第１規制部と、
前記搬送可能状態にある前記搬送ガイド部の前記第１搬送面部に交差する方向の移動を規制する第２規制部とを有することを特徴とする請求項３記載の紙葉類処理装置。
【請求項５】
前記搬送ガイド部は、
ガイド本体と、
該ガイド本体に対し、前記第２搬送面部に沿う方向に基本位置とロック位置との間で移動可能なロック体と、
前記ガイド本体に対し前記ロック体を前記基本位置に位置するように付勢するバネ手段とを備えており、
前記第１規制部は、前記ガイド本体及び前記搬送本体部に設けられ、
前記第２規制部は、前記ロック体及び前記搬送本体部に設けられ、前記ロック体が前記ロック位置にあるとき前記搬送ガイド部の前記第１搬送面部に交差する方向の移動を規制することになり、
前記ロック機構は、前記ロック体を前記ロック位置にロックするロック部を更に有することを特徴とする請求項４記載の紙葉類処理装置。
【請求項６】
前記搬送ガイド部が前記搬送可能状態に向けて前記第１搬送面部に沿う方向に移動させられると、前記付勢手段の付勢力に抗して、前記搬送ガイド部を前記第１搬送面部に交差する方向に案内するスロープ部を有することを特徴とする請求項３から５の何れか一項記載の紙葉類処理装置。
【請求項７】
前記搬送ガイド部は、前記第１搬送面部に沿って広がるガイド面に摺動可能に吸着するマグネット部を有することを特徴とする請求項１から６の何れか一項記載の紙葉類処理装置。
【請求項８】
前記搬送ガイド部には、給電を受ける電気部品が設けられていないことを特徴とする請求項１から７の何れか一項記載の紙葉類処理装置。
【請求項９】
前記搬送ガイド部は、前記第１搬送面部の広がる方向に移動して、前記第１搬送面部から離間しつつ前記搬送本体部を含む装置本体から抜き出されることを特徴とする請求項１から８の何れか一項記載の紙葉類処理装置。
【発明の詳細な説明】
【技術分野】
【０００１】
本発明は、紙葉類処理装置に関する。
【背景技術】
【０００２】
従来から、紙葉類を処理する紙葉類処理装置が提案されている（例えば、特許文献１参照）。特許文献１のような従来の紙葉類処理装置は、受入口に集積状態で投入された紙葉類を機内に一枚ずつ取り込み、受入口から取り込まれた紙葉類を搬送する搬送路上に設けられた識別部で識別し、識別部で識別された種別に応じて紙葉類を収容部に分類して外部に取り出し可能に収容する。
【先行技術文献】
【特許文献】
【０００３】
【特許文献１】特開２０１７−１８２３１２号公報
【発明の概要】
【発明が解決しようとする課題】
【０００４】
ところで、紙葉類の搬送中にジャムが発生すると搬送駆動を停止して搬送部上に残留している紙葉類を取り除く必要がある。このため、搬送部を開放できる構成にするのが望ましい。しかしながら、搬送部を開放可能とするとレイアウト的な制約を受ける場合がある。
【０００５】
従って、本発明は、搬送部を開放可能としてもレイアウト的な制約を受けにくい紙葉類処理装置の提供を目的とする。
【課題を解決するための手段】
【０００６】
上記目的を達成するために、本発明に係る第１の態様は、第１搬送面部を有する搬送本体部と、前記第１搬送面部に対向し該第１搬送面部との間で紙葉類を搬送可能な第２搬送面部を有する搬送ガイド部とを備え、前記搬送ガイド部は、前記搬送本体部とで紙葉類を搬送可能な搬送可能状態から前記第１搬送面部に沿う方向に移動して前記第１搬送面部から離間することを特徴とする。
【０００７】
上記第１の態様によれば、搬送本体部の第１搬送面部に対向し第１搬送面部との間で紙葉類を搬送可能な第２搬送面部を有する搬送ガイド部が、搬送本体部とで紙葉類を搬送可能な搬送可能状態から第１搬送面部に沿う方向に移動して第１搬送面部から離間する。これにより、搬送本体部及び搬送ガイド部からなる搬送部を開放可能としてもレイアウト的な制約を受けにくくなる。
【０００８】
本発明に係る第２の態様は、上記第１の態様において、前記搬送ガイド部は、前記搬送可能状態から前記第１搬送面部に交差する方向に移動した後、前記第１搬送面部に沿う方向に移動して前記第１搬送面部から離間することを特徴とする。
【０００９】
上記第２の態様によれば、搬送ガイド部は、搬送可能状態から第１搬送面部に交差する方向に移動した後、第１搬送面部に沿う方向に移動して第１搬送面部から離間するため、第１搬送面部からこれに交差する方向に離れた後に、第１搬送面部に沿う方向に移動する。このため、搬送可能状態にある搬送ガイド部と搬送本体部とに、第１搬送面部と交差する方向において位置が重なり合う部品があっても、搬送ガイド部が、第１搬送面部に沿う方向に移動可能となる。
【００１０】
本発明に係る第３の態様は、上記第２の態様において、前記搬送ガイド部を前記搬送可能状態でロックするロック機構と、前記搬送ガイド部を前記第１搬送面部に交差する方向に付勢する付勢手段と、を有することを特徴とする。
【００１１】
上記第３の態様によれば、搬送ガイド部を搬送可能状態でロックするロック機構のロックを解除すると、付勢手段が、搬送ガイド部を第１搬送面部に交差する方向に移動させる。これにより、簡素な構成で、搬送ガイド部を第１搬送面部に交差する方向に移動させることができる。
【００１２】
本発明に係る第４の態様は、上記第３の態様において、前記ロック機構は、前記搬送可能状態にある前記搬送ガイド部の前記第１搬送面部に沿う方向の移動を規制し、前記第１搬送面部に交差する方向の移動を許容する第１規制部と、前記搬送可能状態にある前記搬送ガイド部の前記第１搬送面部に交差する方向の移動を規制する第２規制部とを有することを特徴とする。
【００１３】
上記第４の態様によれば、ロック機構は、第１規制部が、搬送可能状態にある搬送ガイド部の第１搬送面部に沿う方向の移動を規制することになり、第２規制部が、搬送可能状態にある搬送ガイド部の第１搬送面部に交差する方向の移動を規制することになる。そして、第２規制部による搬送ガイド部の移動規制を解除すると、付勢手段が、搬送ガイド部を、第１規制部により移動が許容されている第１搬送面部に交差する方向に移動させることになる。これにより、搬送ガイド部を、第１規制部による第１搬送面部に沿う方向の移動規制が解除された状態にすることができて、搬送ガイド部が第１搬送面部に沿う方向に移動可能となる。よって、構成を簡素化することができる。
【００１４】
本発明に係る第５の態様は、上記第４の態様において、前記搬送ガイド部は、ガイド本体と、該ガイド本体に対し、前記第２搬送面部に沿う方向に基本位置とロック位置との間で移動可能なロック体と、前記ガイド本体に対し前記ロック体を前記基本位置に位置するように付勢するバネ手段とを備えており、前記第１規制部は、前記ガイド本体及び前記搬送本体部に設けられ、前記第２規制部は、前記ロック体及び前記搬送本体部に設けられ、前記ロック体が前記ロック位置にあるとき前記搬送ガイド部の前記第１搬送面部に交差する方向の移動を規制することになり、前記ロック機構は、前記ロック体を前記ロック位置にロックするロック部を更に有することを特徴とする。
【００１５】
上記第５の態様によれば、ロック機構は、ガイド本体及び搬送本体部に設けられた第１規制部が、搬送可能状態にある搬送ガイド部のガイド本体の第１搬送面部に沿う方向の移動を規制することになり、ロック体及び搬送本体部に設けられた第２規制部は、ロック体がロック位置にあると、搬送可能状態にある搬送ガイド部のロック体の第１搬送面部に交差する方向の移動を規制することになり、ロック部がロック体をこのロック位置にロックすることになる。そして、ロック位置にあるロック体のロック部によるロックを解除すると、バネ手段がロック体を基本位置に移動させることになり、搬送ガイド部の第１搬送面部に交差する方向の移動規制を解除する。すると、付勢手段が、搬送ガイド部を、第１規制部により移動が許容されている第１搬送面部に交差する方向に移動させることになる。これにより、搬送ガイド部を、第１規制部による第１搬送面部に沿う方向の移動規制が解除された状態にすることができて、搬送ガイド部が第１搬送面部に沿う方向に移動可能となる。よって、構成を更に簡素化することができる。
【００１６】
本発明に係る第６の態様は、上記第３乃至第５の何れか一態様において、前記搬送ガイド部が前記搬送可能状態に向けて前記第１搬送面部に沿う方向に移動させられると、前記付勢手段の付勢力に抗して、前記搬送ガイド部を前記第１搬送面部に交差する方向に案内するスロープ部を有することを特徴とする。
【００１７】
上記第６の態様によれば、搬送ガイド部を搬送可能状態に向けて第１搬送面部に沿う方向に移動させると、スロープ部が、搬送ガイド部を付勢手段の付勢力に抗して第１搬送面部に交差する方向に案内する。これにより、搬送ガイド部を、第１搬送面部に沿う方向に移動させる力を利用して、付勢手段の付勢力に抗して第１搬送面部に交差する方向に移動させることができる。
【００１８】
本発明に係る第７の態様は、上記第１乃至第６の何れか一態様において、前記搬送ガイド部は、前記第１搬送面部に沿って広がるガイド面に摺動可能に吸着するマグネット部を有することを特徴とする。
【００１９】
上記第７の態様によれば、搬送ガイド部が、第１搬送面部に沿って広がるガイド面に摺動可能に吸着するマグネット部を有するため、搬送ガイド部を第１搬送面部に沿って容易に移動させることができる。
【００２０】
本発明に係る第８の態様は、上記第１乃至第７の何れか一態様において、前記搬送ガイド部には、給電を受ける電気部品が設けられていないことを特徴とする。
【００２１】
上記第８の態様によれば、搬送ガイド部には、給電を受ける電気部品が設けられていないため、搬送本体部側とを結ぶ電気配線がなくなる。よって、搬送可能状態にある搬送ガイド部を搬送本体部から離す際に電気配線を外す必要がなくなる。また、搬送ガイド部を搬送可能状態に戻す際に、電気配線を接続する必要がなくなり、電気配線の取り回しに注意する必要性も減る。
【００２２】
本発明に係る第９の態様は、上記第１乃至第８の何れか一態様において、前記搬送ガイド部は、前記第１搬送面部の広がる方向に移動して、前記第１搬送面部から離間しつつ前記搬送本体部を含む装置本体から抜き出されることを特徴とする。
【００２３】
上記第９の態様によれば、搬送ガイド部は、第１搬送面部の広がる方向に移動して、第１搬送面部から離間しつつ搬送本体部を含む装置本体から抜き出されるため、搬送ガイド部及び搬送本体部をより大きく開放することができる。
【発明の効果】
【００２４】
本発明によれば、搬送部を開放可能としてもレイアウト的な制約を受けにくい紙葉類処理装置を提供することができる。
【図面の簡単な説明】
【００２５】
【図１】本発明に係る一実施形態の紙葉類処理装置を示す正面図である。
【図２】本発明に係る一実施形態の紙葉類処理装置を正面側から見た内部の概略構成図である。
【図３】本発明に係る一実施形態の紙葉類処理装置を示す斜視図である。
【図４】本発明に係る一実施形態の紙葉類処理装置のユニット本体主体部及び着脱搬送ガイド部を示す斜視図である。
【図５】本発明に係る一実施形態の紙葉類処理装置のユニット本体主体部及び着脱搬送ガイド部を示す斜視図である。
【図６】本発明に係る一実施形態の紙葉類処理装置のユニット本体主体部及び着脱搬送ガイド部を示す側面図である。
【図７】本発明に係る一実施形態の紙葉類処理装置のユニット本体主体部及び着脱搬送ガイド部を示す斜視図である。
【図８】本発明に係る一実施形態の紙葉類処理装置の解除操作部及びその周辺部を示す斜視図である。
【図９】本発明に係る一実施形態の紙葉類処理装置の解除操作部及びその周辺部を示す斜視図である。
【図１０】本発明に係る一実施形態の紙葉類処理装置の上部係止部及びその周辺部を示す斜視図である。
【図１１】本発明に係る一実施形態の紙葉類処理装置の下部係止部及びその周辺部を示す斜視図である。
【図１２】本発明に係る一実施形態の紙葉類処理装置のユニット本体主体部及び着脱搬送ガイド部を示す正断面図である。
【図１３】本発明に係る一実施形態の紙葉類処理装置のユニット本体主体部及び着脱搬送ガイド部を示す部分正断面図である。
【図１４】本発明に係る一実施形態の紙葉類処理装置の搬送本体部を示す部分斜視図である。
【図１５】本発明に係る一実施形態の紙葉類処理装置の着脱搬送ガイド部を示す側面図である。
【図１６】本発明に係る一実施形態の紙葉類処理装置の着脱搬送ガイド部を示す側面図である。
【図１７】本発明に係る一実施形態の紙葉類処理装置のガイド本体ベース部材の上部を示す斜視図である。
【図１８】本発明に係る一実施形態の紙葉類処理装置の着脱搬送ガイド部の上部を示す部分斜視図である。
【図１９】本発明に係る一実施形態の紙葉類処理装置の着脱搬送ガイド部の下部を示す部分斜視図である。
【図２０】本発明に係る一実施形態の紙葉類処理装置のマグネット部本体を示す斜視図である。
【図２１】本発明に係る一実施形態の紙葉類処理装置のマグネット部を示す斜視図である。
【図２２】本発明に係る一実施形態の紙葉類処理装置の搬送本体部及び着脱搬送ガイド部を示す斜視図である。
【図２３】本発明に係る一実施形態の紙葉類処理装置の搬送本体部及び着脱搬送ガイド部を示す側面図である。
【図２４】本発明に係る一実施形態の紙葉類処理装置の搬送本体部及び着脱搬送ガイド部の下部を示す部分側面図である。
【図２５】本発明に係る一実施形態の紙葉類処理装置の搬送本体部及び着脱搬送ガイド部の下部を示す部分斜視図である。
【図２６】本発明に係る一実施形態の紙葉類処理装置のスロープ部材を示す斜視図である。
【図２７】本発明に係る一実施形態の紙葉類処理装置の搬送本体部及び着脱搬送ガイド部を示す側面図である。
【図２８】本発明に係る一実施形態の紙葉類処理装置の搬送本体部及び着脱搬送ガイド部を示す平断面図である。
【図２９】本発明に係る一実施形態の紙葉類処理装置の搬送本体部及び着脱搬送ガイド部を示す平断面図である。
【図３０】本発明に係る一実施形態の紙葉類処理装置の搬送本体部及び着脱搬送ガイド部を示す平断面図である。
【図３１】本発明に係る一実施形態の紙葉類処理装置の搬送本体部及び着脱搬送ガイド部を示す平断面図である。
【図３２】本発明に係る一実施形態の紙葉類処理装置のユニット側板部を除いたユニット本体主体部及び着脱搬送ガイド部を示す側面図である。
【図３３】本発明に係る一実施形態の紙葉類処理装置の搬送本体部及び着脱搬送ガイド部を示す平断面図である。
【図３４】本発明に係る一実施形態の紙葉類処理装置の搬送本体部及び着脱搬送ガイド部を示す平断面図である。
【図３５】本発明に係る一実施形態の紙葉類処理装置の変形例を示す正面図である。
【発明を実施するための形態】
【００２６】
本発明に係る一実施形態の紙葉類処理装置を図面を参照して以下に説明する。図１〜図３に示す本実施形態に係る紙葉類処理装置１は、紙葉類Ｓとして主に紙幣を分類処理するものであり、投入された紙葉類Ｓを、計数対象である計数対象紙葉類と計数対象ではないリジェクト紙葉類とに分類し、計数対象紙葉類を更に種類別に計数して種類別に収容し、計数結果と収容先とを関連付けて表示するものである。以下の説明において、「前」は操作者側、「後」は操作者とは反対側、「右」は操作者から見て右側、「左」は操作者から見て左側である。
【００２７】
第１実施形態の紙葉類処理装置１は、計数ユニット２と収容ユニット３とが組み合わせられて構成されている。ここでは、１台の計数ユニット２に１台の収容ユニット３を組み合わせる場合を例にとり説明するが、１台の計数ユニット２に対し複数台の収容ユニット３を連設することも可能となっている。
【００２８】
図１，図３に示すように、計数ユニット２は、その右側面側の下部に設けられて右側面及び前面に亘って計数ユニット２外、即ち紙葉類処理装置１外に常時開口する受入部１１と、同じく右側面側の上部に設けられて右側面及び前面に亘って計数ユニット２外、即ち紙葉類処理装置１外に常時開口するリジェクト部１３とを有している。リジェクト部１３及び受入部１１は、前後方向及び左右方向の位置を重ね合わせて上下に並んで配置されている。
【００２９】
図２に示すように、受入部１１には、複数枚の紙葉類Ｓが長辺部を前後に沿わせ、短辺部を左右に沿わせて上下方向に集積された状態でセットされることになる。受入部１１は、このようにセットされた集積状態の紙葉類Ｓを最下のものから一枚ずつ分離し繰り出して紙葉類処理装置１内に取り込む。受入部１１から繰り出される紙葉類Ｓは、その短辺部の延在方向に沿って移動する。
【００３０】
計数ユニット２の内部には、受入部１１から繰り出された紙葉類Ｓを搬送する計数ユニット内搬送構成部２１と、計数ユニット内搬送構成部２１で搬送中の紙葉類Ｓを識別しつつ計数する識別部２２とが設けられている。計数ユニット内搬送構成部２１で搬送される紙葉類Ｓは、その短辺部の延在方向に沿って移動する。識別部２２は、計数ユニット内搬送構成部２１の受入部１１側の端部位置に設けられて、受入部１１が繰り出す紙葉類Ｓの搬送状態を検出する検出部２３と、計数ユニット内搬送構成部２１の検出部２３よりも下流側に設けられて紙葉類Ｓの搬送状態以外の金種等の種類の識別を行う識別本体部２４とを有している。
【００３１】
計数ユニット内搬送構成部２１は、受入部１１から計数ユニット２の左側面に向けて延出する左方延出部２１ａと、左方延出部２１ａの左側面近傍の端部から上方に延出する上方延出部２１ｂと、上方延出部２１ｂの上端部から計数ユニット２の左側面に向け延出して左側面に開口する左方延出部２１ｃと、上方延出部２１ｂの識別部２２よりも上側から分岐し、計数ユニット２の右側面に向け延出してリジェクト部１３に繋がる分岐延出部２１ｅとを有している。計数ユニット内搬送構成部２１には、鉛直方向に沿う上方延出部２１ｂに識別部２２が設けられている。
【００３２】
収容ユニット３の内部には、計数ユニット２の左方延出部２１ｃに接続され、左方延出部２１ｃから繰り出された紙葉類Ｓを搬送する収容ユニット内搬送構成部２７が設けられている。収容ユニット内搬送構成部２７で搬送される紙葉類Ｓも、その短辺部の延在方向に沿って移動する。
【００３３】
収容ユニット内搬送構成部２７は、収容ユニット３の右側面の上部に開口し、収容ユニット３の左側面に向け水平且つ直線状に延出して、左側面の上部に開口する連結搬送構成部２７Ａと、連結搬送構成部２７Ａの左側部分から下側に分岐する分岐搬送構成部２７Ｂとを有している。連結搬送構成部２７Ａと分岐搬送構成部２７Ｂとは、それぞれ個別の駆動モータを有しており、独立して駆動可能となっている。１台の計数ユニット２に対し収容ユニット３が複数台連設される場合は、これらを左右方向に並べて連結し、複数台の収容ユニット３の隣り合うもの同士が連結搬送構成部２７Ａを接続させて連結される。
【００３４】
分岐搬送構成部２７Ｂは、連結搬送構成部２７Ａの左側から分岐して鉛直下方に延出する縦搬送部２７Ｂａと、１つが縦搬送部２７Ｂａの下端位置から収容ユニット３の右側面に向けて延出し、また複数が縦搬送部２７Ｂａの中間位置から分岐して収容ユニット３の右側面に向けて延出する、複数具体的には４つの分岐搬送部２７Ｂｂとを有している。４つの分岐搬送部２７Ｂｂには、それぞれ、紙葉類Ｓを集積させて収容する収容部１４が接続されている。よって、収容ユニット３には、複数、具体的には４個の収容部１４が設けられている。
【００３５】
図１，図３に示すように、収容部１４は、いずれも、収容ユニット３のユニット本体９１の前面９２、即ち紙葉類処理装置１の装置本体９５の前面９６に設けられた開口部１５を有しており、それぞれの開口部１５において、収容ユニット３外、即ち紙葉類処理装置１外に常時開口している。収容ユニット３のユニット本体９１の前面９２、即ち紙葉類処理装置１の装置本体９５の前面９６には、収容部１４のそれぞれと高さを合わせて左横に、高さの合う収容部１４の紙葉類Ｓの集積枚数等の状態を表示する状態表示部２８が設けられている。
【００３６】
収容ユニット３に設けられた複数の収容部１４は、前後方向及び左右方向の位置を重ね合わせて上下方向（高さ方向）に所定の間隔をあけて並んで配置されている。複数の収容部１４は、計数ユニット２に設けられた受入部１１及びリジェクト部１３とも、前後方向の位置を重ね合わせている。
【００３７】
図２に示すように、互いに接続された計数ユニット内搬送構成部２１と収容ユニット内搬送構成部２７とが、受入部１１から繰り出された紙葉類Ｓを搬送する搬送部３０を構成している。搬送部３０は、その搬送中に紙葉類Ｓが識別部２２で識別されると、識別部２２よりも下流側の部分が識別部２２の識別結果に基づいて紙葉類Ｓを、リジェクト部１３及び複数の収容部１４のうちの一つに択一的に振り分ける。
【００３８】
紙葉類処理装置１において、リジェクト部１３及び複数の収容部１４は、識別部２２の識別結果に基づいて紙葉類Ｓを分類して紙葉類処理装置１外に取り出し可能に収容する。図１，図３に示すように、複数の収容部１４では、紙葉類処理装置１の装置本体９５の前面９６に設けられた開口部１５から紙葉類処理装置１の前方に紙葉類Ｓが引き抜かれる。
【００３９】
図２に示すように、リジェクト部１３は、受入部１１で紙葉類処理装置１内に取り込まれた紙葉類Ｓのうち、識別部２２で計数対象紙葉類以外のリジェクト紙葉類と識別された紙葉類Ｓを集積させて紙葉類処理装置１外に取り出し可能に収容するものである。リジェクト部１３は、計数ユニット内搬送構成部２１から紙葉類Ｓが繰り出されることになり、このように繰り出された紙葉類Ｓを繰り出し順（言い換えれば受入部１１の取り込み順）に下から上に集積させる。紙葉類Ｓは、計数ユニット内搬送構成部２１の分岐延出部２１ｅからリジェクト部１３に繰り出されると、リジェクト部１３内で、長辺部を前後に沿わせ、短辺部を左右に沿わせて下から上に集積される。
【００４０】
複数の収容部１４は、受入部１１で紙葉類処理装置１内に取り込まれた紙葉類Ｓのうち、識別部２２で計数対象紙葉類と識別されて種類別に計数された紙葉類Ｓを種類別に集積させて紙葉類処理装置１外に取り出し可能に収容するものである。複数の収容部１４は、いずれも、収容ユニット内搬送構成部２７から紙葉類Ｓが繰り出されることになり、このように繰り出された紙葉類Ｓを繰り出し順（言い換えれば受入部１１の取り込み順）に右下から左上の方向に集積させる。
【００４１】
図１，図３に示すように、紙葉類処理装置１の計数ユニット２の前面には、操作入力を受け付けると共に情報表示を行う操作表示部３１が設けられている。また、図２に示すように、計数ユニット２の内部には、計数ユニット２及び計数ユニット２に連結された収容ユニット３の各部を制御する制御部３２と、識別の基準となるマスタデータや識別計数結果のデータ等を記憶する記憶部３３とが設けられている。
【００４２】
計数ユニット２に設けられた受入部１１は、上述したように紙葉類処理装置１の右側面側に右側方及び前方に常時開口するように設けられている。受入部１１は、水平に対して若干左下がりに傾斜して配置される底部４０と、底部４０の左端位置から底部４０に対して垂直をなして上方に延出する壁部４１と、底部４０の後端縁部から鉛直上方に延出する壁部４３とを有している。底部４０及び壁部４１は前後方向に広がっており、壁部４３は鉛直方向及び左右方向に広がっている。底部４０と壁部４１と壁部４３とは互いに垂直に配置されている。受入部１１には、紙葉類Ｓが、壁部４１に一方の長辺部を、壁部４３に一方の短辺部を、それぞれ当接させるようにして、底部４０上に集積状態でセットされる。受入部１１は、底部４０の上方に設けられて壁部４１に沿って昇降するビルプレス４５を有しており、ビルプレス４５は、底部４０上に載置された紙葉類Ｓを底部４０に向けて押圧する。
【００４３】
受入部１１は、底部４０上にセットされた紙葉類Ｓのうちの最下の紙葉類Ｓを左方の計数ユニット内搬送構成部２１に向けて蹴り出す蹴出ローラ５１と、蹴出ローラ５１で蹴り出された紙葉類Ｓを紙葉類処理装置１の内部に取り込んで計数ユニット内搬送構成部２１に受け渡す取込ローラ５２と、取込ローラ５２で取り込む紙葉類Ｓを一枚ずつに分離する分離ローラ５３とを有している。蹴出ローラ５１、取込ローラ５２及び分離ローラ５３が、受入部１１にセットされた紙葉類Ｓを一枚ずつ分離して紙葉類処理装置１の内部に取り込む取込部５５を構成している。
【００４４】
上記した識別部２２の検出部２３は、計数ユニット内搬送構成部２１の左方延出部２１ａにおける受入部１１の近傍位置に配置されており、紙葉類Ｓの受入部１１からの繰り出しの有無及び紙葉類Ｓの搬送状態を検出する。検出部２３は、紙葉類Ｓの光透過率或いは物理的厚さから重送の有無を検出し、紙葉類Ｓの長辺部方向両側のそれぞれの検知タイミングのずれから斜行の有無を検出し、隣り合う紙葉類Ｓのそれぞれの検知タイミングの間隔からニアフィードの有無を検出する。検出部２３で、重送、斜行及びニアフィードのいずれも無いことが検出された紙葉類Ｓは、言い換えれば、検出部２３で正常搬送であることが検出された紙葉類Ｓになる。
【００４５】
識別部２２の識別本体部２４は、紙葉類Ｓの可視光照射時及び紫外線照射時の画像を検出すると共に、それぞれを基準データと比較して、一致すると判定できる基準データの種類を、紙葉類Ｓの種類と特定する。このように種類が特定された紙葉類Ｓは、識別異常なしの紙葉類Ｓとなる。一方、一致すると判定できる基準データがない場合、識別異常ありの紙葉類Ｓと特定する。
【００４６】
計数ユニット２に設けられたリジェクト部１３は、水平に対して若干左下がりに傾斜して配置される底部６０と、底部６０の左端位置から底部６０に略垂直をなして上方に延出する壁部６１と、底部６０の後端縁部から鉛直上方に延出する壁部６３とを有している。底部６０及び壁部６１は前後方向に広がっており、壁部６３は鉛直方向及び左右方向に広がっている。
【００４７】
壁部６１の上部には、計数ユニット内搬送構成部２１の分岐延出部２１ｅの端末位置の近傍に設けられて分岐延出部２１ｅで搬送されてきた紙葉類Ｓを繰り出して底部６０に集積させる羽根車６５が設けられている。羽根車６５は、分岐延出部２１ｅで搬送されてきた紙葉類Ｓを羽根と羽根との間に挟んで共に回転し、この紙葉類Ｓが壁部６１に当接して羽根と羽根との間から抜け出すと、この紙葉類Ｓを羽根で底部６０側、即ち下方に押す。
【００４８】
図示は略すが、リジェクト部１３には、リジェクト部１３内の紙葉類Ｓの有無を検知する紙葉類有無検知センサと、この紙葉類有無センサの検知結果に基づいて点灯状態が切り替えられる有無表示照明とが設けられている。有無表示照明は、リジェクト部１３内に紙葉類Ｓがあることが紙葉類有無検知センサで検知されている状態では点灯し、リジェクト部１３内に紙葉類Ｓがないことが紙葉類有無検知センサで検知されている状態では消灯する。また、有無表示照明は、例えばリジェクト部１３内に紙葉類Ｓがフル状態になると点滅する。
【００４９】
有無表示照明は、例えば、底部６０に、計数ユニット２、即ち紙葉類処理装置１の前面位置及び右側面位置で外に向け発光するように設けられている。羽根車６５で繰り出された紙葉類Ｓを案内して底部６０に集積させる図１，図３に示すカバー６６に有無表示照明を設けても良い。その場合、カバーを透明材料で形成し、カバー６６の全体を光らせるようにしても良い。
【００５０】
収容ユニット３に設けられた複数の収容部１４は、いずれも同様の構成であり、紙葉類処理装置１の装置本体９５の前面９６に開口する上記した開口部１５と、水平に対し右下がりに傾斜する収容底部７０と、収容底部７０の後側で広がる収容奥壁部７３とを有している。収容底部７０は、その上方に向く上面７１が右下がりに傾斜して前後方向に広がっている。収容奥壁部７３は、その前方に向く奥壁面７４が鉛直方向及び左右方向に広がっており、言い換えれば前後方向に対し直交するように広がっている。
【００５１】
収容ユニット３は、収容部１４のそれぞれの内側に配置される摺動ステージ部８１を有している。摺動ステージ部８１は、図３の上から１個目、３個目及び４個目の摺動ステージ部８１に示すように全体が収容部１４内に配置される後退端位置と、図３の上から２個目の摺動ステージ部８１に示すように、収容部１４の開口部１５から一部突出する前進端位置との間で、収容部１４に対し摺動可能に設けられている。摺動ステージ部８１は、後退端位置にある状態が紙葉類Ｓを受け入れる待機状態であり、前進端位置にある状態が収容している紙葉類Ｓを前方に押し出す押し出し状態となる。
【００５２】
収容ユニット３は、複数の収容部１４および複数の状態表示部２８を含むユニット本体９１に対し、複数の摺動ステージ部８１が摺動可能となっている。このユニット本体９１の前方に向く前面９２に、複数の収容部１４の開口部１５が配置されており、複数の状態表示部２８は、このユニット本体９１の前面９２の一部を構成する。収容ユニット３のユニット本体９１と計数ユニット２とが、紙葉類処理装置１の装置本体９５を構成している。ユニット本体９１の前面９２は、装置本体９５の前方に向く前面９６の一部を構成している。よって、複数の摺動ステージ部８１は、装置本体９５に対しても摺動可能となっており、複数の収容部１４の開口部１５は、装置本体９５の前面９６に配置され、複数の状態表示部２８は、装置本体９５の前面９６の一部を構成する。
【００５３】
摺動ステージ部８１は、収容底部７０の右端位置から水平に対し右上がりに延出する支持ステージ８２と、支持ステージ８２の後側で広がる押出ステージ８５とを有している。支持ステージ８２は収容底部７０側に向く支持面８３が右上がりに傾斜して前後方向に広がっている。押出ステージ８５は、その前方に向く前面である押出面８６が、支持ステージ８２の後側で鉛直方向及び左右方向に広がっており、言い換えれば前後方向に対し直交するように広がっている。収容底部７０の上面７１及び支持ステージ８２の支持面８３に対し、収容奥壁部７３の奥壁面７４及び押出ステージ８５の押出面８６は略直交するように広がっている。摺動ステージ部８１は、待機状態にあるとき、押出ステージ８５の押出面８６が収容奥壁部７３の奥壁面７４と略面一に配置されている。
【００５４】
図２に示すように、分岐搬送構成部２７Ｂの各分岐搬送部２７Ｂｂの末端位置には、対応する収容部１４内に紙葉類Ｓを繰り出す羽根車７５が設けられている。羽根車７５には、多数の羽根が周方向に所定の間隔で周方向同側に延出するように設けられている。羽根車７５は、支持ステージ８２と対向する側が上から下に移動するように回転することになり、支持ステージ８２と対向する側の羽根は、支持ステージ８２と対向する際に固定端が下側に自由端が上側に位置するように延びている。
【００５５】
羽根車７５は、分岐搬送構成部２７Ｂの縦搬送部２７Ｂａ及び４つの分岐搬送部２７Ｂｂのうちの対応するもので搬送されてきた紙葉類Ｓを羽根と羽根との間に挟んで紙葉類Ｓと共に回転し、この紙葉類Ｓが収容底部７０の上面７１に当接して羽根と羽根との間から抜け出すと、この紙葉類Ｓを羽根で支持ステージ８２側に押す。このとき、紙葉類Ｓは、短辺部を上下に沿わせて収容底部７０の上面７１に下端の長辺部で当接して支持されると共に、この上面７１にガイドされて支持ステージ８２の支持面８３側に移動し、支持ステージ８２の支持面８３に厚さ方向一側の面が重なって支持されることになる。次に繰り出される紙葉類Ｓは、同様にして、短辺部を上下に沿わせて収容底部７０の上面７１に下端の長辺部で当接して支持されると共に、この上面にガイドされて支持ステージ８２の支持面８３側に移動し、既に支持ステージ８２に支持されている紙葉類Ｓの厚さ方向他側の面に、厚さ方向一側の面が重なって支持される。このようにして、紙葉類Ｓが厚さ方向に順に集積されて、支持ステージ８２の支持面８３に載置される。複数の収容部１４のそれぞれにも、リジェクト部１３と同様の紙葉類有無センサ及び有無表示照明が設けられている。収容部１４の有無表示照明は、例えば、収容底部７０に、収容ユニット３即ち紙葉類処理装置１の前面位置で外に向け発光するように設けられている。
【００５６】
摺動ステージ部８１は、待機状態で収容部１４に繰り出された紙葉類Ｓを支持ステージ８２で支持することになるが、収容部１４に繰り出されて支持ステージ８２が支持する紙葉類Ｓの集積枚数が増えていくと、図１の上から２個目の収容部１４に示すように、支持ステージ８２が紙葉類Ｓの集積枚数に応じた角度で揺動する。
【００５７】
また、収容部１４に繰り出された紙葉類Ｓを使用者に受け取らせる場合、図３の上から２個目の収容部１４に示すように、摺動ステージ部８１が、待機状態から前進して収容している紙葉類Ｓを支持ステージ８２及び押出ステージ８５で収容部１４の開口部１５よりも前方に一部突出させる。
【００５８】
収容ユニット３は、状態表示部２８の左側に、前開閉カバー１１１を有している。前開閉カバー１１１は、収容ユニット３のユニット本体９１に対して鉛直軸回りに回動可能に支持されている。前開閉カバー１１１は、閉状態で前方に向く前面１１２を有する前板部１１３と、閉状態で左方に向く側面１１５を有する側板部１１６とを有している。閉状態で、側板部１１６は、前板部１１３の左端縁部から後方に延出する。前開閉カバー１１１は、閉状態にあるとき、その前面１１２がユニット本体９１の前面１１２と略面一状となる。前開閉カバー１１１の側板部１１６には、前開閉カバー１１１を開く際に、利用者の指が掛けられる前開閉カバー取手部１１８が、閉状態にあるときの後部に側面１１５から凹んで設けられている。前開閉カバー１１１は、状態表示部２８側、即ち閉状態での右側の端縁部に回動中心を有しており、手動により、この回動中心を中心に前方且つ右方に回動させられて開状態となる。
【００５９】
収容ユニット３には、前開閉カバー１１１で開閉される位置、言い換えれば、閉状態の前開閉カバー１１１で覆われ、前開閉カバー１１１が開状態になると前方に向けて露出する部分に、図２に示す搬送部３０の縦搬送部２７Ｂａが配置されている。言い換えれば、搬送部３０の縦搬送部２７Ｂａは、その前部が前開閉カバー１１１で開閉される。
【００６０】
図４〜図７は、図３に示すユニット本体９１からカバー類を除いたユニット本体主体部１２１と、ユニット本体主体部１２１とは別体、言い換えればユニット本体９１とは別体の着脱搬送ガイド部１２２（搬送ガイド部）とを示すものである。ユニット本体主体部１２１には、上述した収容部１４、摺動ステージ部８１及び複数の状態表示部２８等が設けられている。ユニット本体主体部１２１の状態表示部２８の左側に着脱搬送ガイド部１２２が設けられている。
【００６１】
着脱搬送ガイド部１２２は、図７に示すように、ユニット本体主体部１２１から前方に抜き出し可能となっている。言い換えれば、着脱搬送ガイド部１２２は、ユニット本体９１から前方に抜き出し可能であり、更に言い換えれば、装置本体９５から前方に抜き出し可能である。よって、着脱搬送ガイド部１２２は、ユニット本体主体部１２１を含む装置本体９５に対し着脱式となっている。ユニット本体主体部１２１には、着脱搬送ガイド部１２２が前方から差し込まれて配置される搬送ガイド部配置スペース１２４が設けられている。
【００６２】
ユニット本体主体部１２１は、着脱搬送ガイド部１２２が搬送ガイド部配置スペース１２４に差し込まれてセットされた状態で、着脱搬送ガイド部１２２と対向する位置に、搬送本体部１３１を有している。搬送本体部１３１は、着脱搬送ガイド部１２２とで図２に示す搬送部３０の縦搬送部２７Ｂａを構成する。図７に示すように、搬送本体部１３１は、ユニット本体主体部１２１において位置固定であり、着脱搬送ガイド部１２２のように着脱式とはなっていない。着脱搬送ガイド部１２２は、図４，図５に示すように、搬送ガイド部配置スペース１２４に差し込まれてユニット本体主体部１２１にセットされた状態が、搬送本体部１３１とで紙葉類Ｓを搬送可能な搬送可能状態である。
【００６３】
搬送本体部１３１には、着脱搬送ガイド部１２２を、搬送可能状態で搬送ガイド部配置スペース１２４から抜き出し不可にロックする前部ロック部１４１（ロック部）が設けられている。前部ロック部１４１は、着脱搬送ガイド部１２２の前面の上下を係止する複数、具体的には２つの上部係止部１４２及び下部係止部１４３と、上部係止部１４２と下部係止部１４３との間に設けられた解除操作部１５０とを有している。
【００６４】
解除操作部１５０は、上部係止部１４２と下部係止部１４３との間に設けられたレバー支持部材１５１と、図８，図９に示すように、レバー支持部材１５１に上下方向に延びるように支持されたレバー回動軸１５２と、レバー回動軸１５２に、これを中心に回動可能に設けられた開放レバー１５３と、開放レバー１５３の回動を付勢する捻りバネ１５４とを有している。
【００６５】
図１０に示す上部係止部１４２及び図１１に示す下部係止部１４３は、着脱搬送ガイド部１２２の前端部を係止して、その前方及び右方への移動を規制する。図１０に示すように、開放レバー１５３は、一対の係合爪１５７を有しており、これら係合爪１５７が、着脱搬送ガイド部１２２の前面に形成された一対の係合穴１５８に係合することで、図８に示すように着脱搬送ガイド部１２２の前部を係止して、その左方への移動を規制する。
【００６６】
図７に示すように、搬送本体部１３１は、第１搬送面部１７１を有しており、この第１搬送面部１７１は、左方に向いて搬送ガイド部配置スペース１２４に面している。第１搬送面部１７１は、図２に示す縦搬送部２７Ｂａの右側部分を構成する。
【００６７】
ユニット本体主体部１２１は、搬送本体部１３１の第１搬送面部１７１に対向して搬送ガイド部配置スペース１２４に面する内壁面１７３（ガイド面）を有するユニット側板部１７２を有している。
【００６８】
図１２〜図１４に示すように、搬送本体部１３１は、第１搬送面部１７１を構成する合成樹脂製の第１縦搬送ガイド板部１７５と、第１搬送面部１７１を構成する複数の第１搬送ローラ部１７６とを有している。第１縦搬送ガイド板部１７５は、全体的には、左右方向に対し直交する方向に略平板状をなすように広がっている。図１４に示すように、第１搬送ローラ部１７６は、高さを合わせた２つのローラ１７７を有しており、第１縦搬送ガイド板部１７５から一部突出して第１搬送面部１７１を構成する。図１２に示すように、このような第１搬送ローラ部１７６が上下に複数、具体的には１１個設けられている。第１搬送ローラ部１７６は、図示略の駆動モータに駆動されて回転する。
【００６９】
また、搬送本体部１３１は、各分岐搬送部２７Ｂｂを構成する複数の合成樹脂製の分岐搬送ガイド板部１８１と、各分岐搬送部２７Ｂｂを構成する複数の分岐搬送ローラ部１８２とを有している。さらに、搬送本体部１３１は、縦搬送部２７Ｂａから各分岐搬送部２７Ｂｂに紙葉類Ｓを案内する揺動可能な振分ゲート部材１８３を分岐搬送部２７Ｂｂと同数、即ち４つ有している。振分ゲート部材１８３は、上下方向（高さ方向）に所定の間隔をあけて設けられている。振分ゲート部材１８３は、第１縦搬送ガイド板部１７５から一部突出して第１搬送面部１７１の一部を構成する。振分ゲート部材１８３は、図１２〜図１４に示す揺動位置にあるとき、第１搬送面部１７１において最も突出する部位となる。振分ゲート部材１８３は、揺動位置にあるとき、縦搬送部２７Ｂａから対応する分岐搬送部２７Ｂｂに紙葉類Ｓを取り込む一方、突出量を減らす基本位置にあるとき、縦搬送部２７Ｂａから対応する分岐搬送部２７Ｂｂに紙葉類Ｓを取り込まない。振分ゲート部材１８３は、揺動位置にある状態が待機状態となっている。
【００７０】
第１搬送面部１７１は、主に第１縦搬送ガイド板部１７５で構成されている。第１搬送面部１７１は、全体的には、左右方向に対し直交する方向に平面状に広がっており、前後方向及び上下方向に広がっている。第１搬送面部１７１に沿う方向は、上下方向及び前後方向であり、第１搬送面部１７１に直交する方向は左右方向になっている。左右方向は、第１搬送面部１７１に交差する方向に含まれる。
【００７１】
着脱搬送ガイド部１２２は、図１２，図１３に示すように搬送可能状態にあるとき、搬送本体部１３１の第１搬送面部１７１に対向する第２搬送面部１９１を有している。第２搬送面部１９１は、図２に示す縦搬送部２７Ｂａの左側部分を構成する。図１２，図１３に示すように、第２搬送面部１９１は、主に合成樹脂により成形された第２縦搬送ガイド板部１９２で構成されている。着脱搬送ガイド部１２２が搬送可能状態にあるとき、第２縦搬送ガイド板部１９２は、全体的には、左右方向に対し直交する方向に略平板状をなすように広がっている。
【００７２】
第２搬送面部１９１は、主に第２縦搬送ガイド板部１９２で構成されている。よって、搬送可能状態にあるときの着脱搬送ガイド部１２２の第２搬送面部１９１も、第１搬送面部１７１と同様、全体的には、左右方向に対し直交する方向に平面状に広がっており、前後方向及び上下方向に広がっている。着脱搬送ガイド部１２２が搬送可能状態にあるとき、その第２搬送面部１９１に沿う方向は、上下方向及び前後方向であり、第２搬送面部１９１に直交する方向は左右方向になっている。左右方向は第２搬送面部１９１に交差する方向に含まれる。
【００７３】
第２縦搬送ガイド板部１９２には、各振分ゲート部材１８３に対向する位置に、図１３に示すように、揺動位置にある対応する振分ゲート部材１８３が入り込む凹状ガイド板部１９３が設けられている。これらの凹状ガイド板部１９３は、第２搬送面部１９１のうちの最も右側にある先端面部１９４よりも左側に凹んでいる。凹状ガイド板部１９３は、搬送可能状態にある着脱搬送ガイド部１２２の最も搬送本体部１３１側の先端面部１９４よりも第２搬送面部１９１とは反対側に凹んでいる。そして、搬送本体部１３１の揺動位置にある振分ゲート部材１８３は、搬送可能状態にある着脱搬送ガイド部１２２の凹状ガイド板部１９３に入り込んでいる。
【００７４】
着脱搬送ガイド部１２２は、その後部に、先端面部１９４を一部構成する後壁板部１９７を有している。後壁板部１９７は、着脱搬送ガイド部１２２が搬送可能状態にあるとき、前後方向に直交して広がり、上下方向に延在している。後壁板部１９７は、凹状ガイド板部１９３の位置にも形成されており、凹状ガイド板部１９３よりも搬送本体部１３１側に突出している。よって、搬送可能状態にある着脱搬送ガイド部１２２と搬送本体部１３１とは、後壁板部１９７と揺動位置にある振分ゲート部材１８３とが第１搬送面部１７１と交差する方向において位置を重ね合わせている。また、このとき、後壁板部１９７は振分ゲート部材１８３よりも後側にある。
【００７５】
図１５，図１６に示すように、着脱搬送ガイド部１２２は、相対移動可能なガイド本体２０１及びロック体２０２と、これらを付勢する圧縮バネ２０３（バネ手段）とを有している。
【００７６】
ガイド本体２０１は、上記した第２搬送面部１９１を構成するもので、図１７に示すように、上記した凹状ガイド板部１９３を含む第２縦搬送ガイド板部１９２、後壁板部１９７及び前壁板部１９８を有する合成樹脂製のガイド本体ベース部材２１１を有している。また、ガイド本体２０１は、図１５，図１６に示すように、ガイド本体ベース部材２１１に相対移動可能に支持された複数の第２搬送ローラ部２１２を有している。図１７に示すように、ガイド本体ベース部材２１１の前壁板部１９８は、後壁板部１９７と同様であり、後壁板部１９７と対をなして第２縦搬送ガイド板部１９２の後壁板部１９７とは反対側の端縁部に設けられている。図１５，図１６に示すように、後壁板部１９７は、ガイド本体２０１における後端部となり、図１６に示すように、前壁板部１９８は、ガイド本体２０１における前端部となる。
【００７７】
第２搬送ローラ部２１２は、高さを合わせた２つのローラ２１３を有しており、ガイド本体ベース部材２１１と共に第２搬送面部１９１を構成する。このような第２搬送ローラ部２１２が上下に複数、具体的には１０個設けられている。
【００７８】
第２搬送ローラ部２１２は、第２搬送面部１９１に対し交差する方向に移動可能となるようにガイド本体ベース部材２１１に設けられており、ガイド本体２０１は、これら第２搬送ローラ部２１２を、付勢する板状のテンション部材２１５（付勢手段）を有している。第２搬送ローラ部２１２は、何れも、テンション部材２１５の付勢力でガイド本体ベース部材２１１よりも第２搬送面部１９１側に一部突出するように付勢されている。言い換えれば、テンション部材２１５は、第２搬送ローラ部２１２を第２搬送面部１９１の裏側から表側に向かって付勢する。テンション部材２１５は、全部で１４個設けられている。ガイド本体２０１は、ガイド本体ベース部材２１１に取り付けられた複数、具体的には８個の光学センサ用プリズム２１７を有している。光学センサ用プリズム２１７は、搬送部３０の縦搬送部２７Ｂａで搬送中の紙葉類Ｓを検出する光学センサの一部を構成する。
【００７９】
第２搬送ローラ部２１２は、図１３に示すように、着脱搬送ガイド部１２２が搬送可能状態にあるとき、搬送本体部１３１の第１搬送ローラ部１７６と一対一で高さを合わせることになり、高さ位置が合う第１搬送ローラ部１７６と当接する。このとき、全ての第２搬送ローラ部２１２は、高さ位置が合う第１搬送ローラ部１７６でガイド本体ベース部材２１１内への進入量を増やす方向に押されることになる。これにより、着脱搬送ガイド部１２２が搬送可能状態にあるとき、ガイド本体ベース部材２１１と全ての第２搬送ローラ部２１２との間に設けられた、図１５，図１６に示すテンション部材２１５が弾性変形する。この状態では、全てのテンション部材２１５が、着脱搬送ガイド部１２２を、搬送本体部１３１から、その第１搬送面部１７１に交差して離れる方向に付勢することになる。
【００８０】
図１３に示すように、第１搬送ローラ部１７６が、図示略の駆動モータに駆動されて回転すると、第１搬送ローラ部１７６に接触する第２搬送ローラ部２１２と、第１搬送ローラ部１７６に接触する紙葉類Ｓに接触する第２搬送ローラ部２１２とが連れ回りで回転する。この状態で、第１搬送ローラ部１７６及び第２搬送ローラ部２１２が、第１縦搬送ガイド板部１７５及び第２縦搬送ガイド板部１９２の間にある紙葉類Ｓを、第１縦搬送ガイド板部１７５及び第２縦搬送ガイド板部１９２の間で移動させる。言い換えれば、第１縦搬送ガイド板部１７５及び第２縦搬送ガイド板部１９２は、第１搬送ローラ部１７６及び第２搬送ローラ部２１２で移動させられる紙葉類Ｓを案内する。
【００８１】
よって、着脱搬送ガイド部１２２が搬送可能状態にあるとき、搬送本体部１３１の、第１縦搬送ガイド板部１７５及び複数の第１搬送ローラ部１７６で形成される第１搬送面部１７１と、第１搬送面部１７１に対向する、第２縦搬送ガイド板部１９２及び複数の第２搬送ローラ部２１２で形成される着脱搬送ガイド部１２２の第２搬送面部１９１とが、互いの間で紙葉類Ｓを搬送可能となる。着脱搬送ガイド部１２２が搬送可能状態にあるとき、第１搬送面部１７１を有する搬送本体部１３１と、第２搬送面部１９１を有する着脱搬送ガイド部１２２とが、搬送部３０の縦搬送部２７Ｂａを構成する。
【００８２】
図１６に示すように、ガイド本体ベース部材２１１は、全体として長方形状をなしている。ガイド本体ベース部材２１１は、着脱搬送ガイド部１２２が搬送可能状態にあるとき、上下方向に長辺方向を沿わせ、前後方向に短辺方向を沿わせる。第２縦搬送ガイド板部１９２の第２搬送面部１９１とは反対の裏面側に、ロック体２０２のガイド軸２０５を支持するガイド軸支持部２２１が形成されている。
【００８３】
図１７に示すように、ガイド軸支持部２２１は、第２縦搬送ガイド板部１９２から突出するように形成された複数、具体的には２つの環状の中間ガイド軸挿入部２２２と、後壁板部１９７及び前壁板部１９８に形成された複数、具体的には２つの環状の端側ガイド軸挿入部２２３と、第２縦搬送ガイド板部１９２から突出するように形成された複数、具体的には４つのガイド軸受部２２４とを有している。これらは、１つの端側ガイド軸挿入部２２３、１つのガイド軸受部２２４、１つの中間ガイド軸挿入部２２２、２つのガイド軸受部２２４、１つの中間ガイド軸挿入部２２２、１つのガイド軸受部２２４、１つの端側ガイド軸挿入部２２３の順に並べられている。
【００８４】
図１５，図１６に示すロック体２０２のガイド軸２０５は、図１７に示す２つの中間ガイド軸挿入部２２２及び２つの端側ガイド軸挿入部２２３に挿入され、４つのガイド軸受部２２４で受けられることによって、径方向の移動が規制され、軸方向にのみ移動可能となる。図１５，図１６に示すように、ガイド本体ベース部材２１１には、このようなガイド軸支持部２２１が、ガイド本体ベース部材２１１の長手方向に間隔をあけて、複数、具体的には３箇所設けられている。ガイド軸支持部２２１は、ガイド本体ベース部材２１１の上部及び下部と、上下方向の中央よりも上部寄りとに設けられている。
【００８５】
ガイド本体ベース部材２１１には、その長辺方向の両端部であって短辺方向の同じ側の端部に、長辺方向に沿って外方に突出する一対の上部突出部２３１及び下部突出部２３２が形成されている。一対の上部突出部２３１及び下部突出部２３２は、ガイド本体ベース部材２１１の短辺方向に対し直交して広がっており、図１８，図１９に示すように、第２搬送面部１９１の裏側に若干ずれて設けられている。
【００８６】
図１６に示すように、一対の上部突出部２３１及び下部突出部２３２は、後壁板部１９７及び前壁板部１９８のうちの一方である後壁板部１９７の位置に設けられている。言い換えれば、ガイド本体ベース部材２１１には、上下方向（高さ方向）の先端位置であり、且つ、後側に、上下合わせて２つの上部突出部２３１及び下部突出部２３２が設けられている。上部突出部２３１及び下部突出部２３２は、後壁板部１９７と共にガイド本体２０１における後端部となる。
【００８７】
ガイド本体ベース部材２１１の上部突出部２３１及び下部突出部２３２を除く部分がベース部材本体部２３５となっており、上部突出部２３１及び下部突出部２３２は、このベース部材本体部２３５から相反する方向に突出している。上部突出部２３１は、ベース部材本体部２３５の上端面２３６よりも上方に、下部突出部２３２は、ベース部材本体部２３５の下端面２３７よりも下方に、それぞれ突出している。
【００８８】
ロック体２０２は、各ガイド軸支持部２２１に支持される複数、具体的には３本のガイド軸２０５と、３本のガイド軸２０５の軸方向の一端部を連結して、これらを一体に固定するガイド軸連結フレーム２４１と、３本のガイド軸２０５の軸方向の他端側の中間部を連結して、これらを一体に固定する摺動フレーム２４２とを有している。ガイド軸連結フレーム２４１は、３本のガイド軸２０５を、上部突出部２３１及び下部突出部２３２から遠い側の端側ガイド軸挿入部２２３よりも、外側で連結させている。
【００８９】
３本のガイド軸２０５は、それぞれ対応するガイド軸支持部２２１に支持されることで、第２搬送面部１９１と平行な同一平面内に配置されることになり、よって、これらを結ぶガイド軸連結フレーム２４１及び摺動フレーム２４２は、第２搬送面部１９１と平行をなして直線状に延びる。ガイド軸連結フレーム２４１及び摺動フレーム２４２は、ガイド本体ベース部材２１１の長辺方向、即ち３本のガイド軸２０５に直交する方向に延びている。３本のガイド軸２０５は、前後方向及び左右方向の位置を揃えて上下方向（高さ方向）に所定の間隔をあけて設けられている。
【００９０】
ガイド軸連結フレーム２４１及び摺動フレーム２４２は、３本のガイド軸２０５に固定されて一体化されている。ガイド軸連結フレーム２４１、摺動フレーム２４２及び３本のガイド軸２０５を有するロック体２０２は、３本のガイド軸２０５を軸方向に移動可能に支持する３つのガイド軸支持部２２１を有するガイド本体２０１に対して摺動可能となる。ガイド本体２０１は、第２搬送面部１９１が３本のガイド軸２０５と平行になる。よって、ロック体２０２は、ガイド本体２０１に対し、その第２搬送面部１９１に沿う方向に移動可能となる。
【００９１】
３本のガイド軸２０５は、ガイド軸支持部２２１に支持される円柱状の主軸部２４６と、軸方向の一端部に設けられた先細のテーパ状の先端軸部２４７とを有している。３本のガイド軸２０５は、先端軸部２４７を摺動フレーム２４２よりもガイド軸連結フレーム２４１とは反対側に配置している。３本のガイド軸２０５は、それぞれの先端軸部２４７が全て軸方向の位置を揃えてロック体２０２の後端位置に設けられている。
【００９２】
ガイド軸連結フレーム２４１は、板金部品であり、３本のガイド軸２０５の先端軸部２４７とは反対側の端部に固定されて３本のガイド軸２０５に対し直交するように広がる平板状の連結フレーム前板部２５１と、連結フレーム前板部２５１の第２搬送面部１９１とは反対側の端縁部から３本のガイド軸２０５の先端軸部２４７側に向け、３本のガイド軸２０５と平行に広がるように延出する連結フレーム側板部２５２とを有している。連結フレーム側板部２５２は３本のガイド軸２０５から等距離の位置に３本のガイド軸２０５と平行に配置されている。連結フレーム前板部２５１及び連結フレーム側板部２５２は、３本のガイド軸２０５を結ぶ方向に延びている。
【００９３】
連結フレーム前板部２５１は、その前面がロック体２０２及び着脱搬送ガイド部１２２の前面を構成することになり、図８〜図１０に示すように、この連結フレーム前板部２５１の長手方向の中央位置に、上記した開放レバー１５３の一対の係合爪１５７に係合する一対の係合穴１５８が形成されている。また、図１０に示す上部係止部１４２及び図１１に示す下部係止部１４３は、ガイド軸連結フレーム２４１の連結フレーム前板部２５１を係止する。
【００９４】
図１５，図１６に示す圧縮バネ２０３は、コイルバネであり、複数、具体的には２つ設けられている。２つの圧縮バネ２０３は、３本のガイド軸２０５のうちの両側２本のガイド軸２０５に設けられている。圧縮バネ２０３は、対応するガイド軸２０５を内側に挿通させており、図１６に示すように、前壁板部１９８に設けられた端側ガイド軸挿入部２２３の内側に挿通されている。圧縮バネ２０３は、一端部が、ガイド本体ベース部材２１１の複数のガイド軸受部２２４のうちの前壁板部１９８に最も近い側のガイド軸受部２２４に固定されており、他端部がガイド軸連結フレーム２４１の連結フレーム前板部２５１に固定されている。言い換えれば、２つの圧縮バネ２０３は、３本のガイド軸２０５のうちの上下方向の先端位置に配設される２本のガイド軸２０５の前部に設けられている。２つの圧縮バネ２０３は、３本のガイド軸２０５の軸方向においてロック体２０２をその連結フレーム前板部２５１がガイド本体２０１から離れる方向に付勢する。
【００９５】
図１６に示すように２つの圧縮バネ２０３が伸び切った自然状態にあるときのロック体２０２のガイド本体２０１に対する位置が基本位置であり、ロック体２０２は、２つの圧縮バネ２０３を縮めながら、その連結フレーム前板部２５１をガイド本体２０１に近づけるように移動する。言い換えれば、２つの圧縮バネ２０３は、ガイド本体２０１に対しロック体２０２を基本位置に位置するように付勢する。ロック体２０２は、基本位置にあるとき、３本のガイド軸２０５の全体を、ガイド本体２０１の後壁板部１９７よりも前壁板部１９８側に位置させている。言い換えれば、ロック体２０２は、基本位置にあるとき、その全体が、ガイド本体２０１の後壁板部１９７よりも前壁板部１９８側に位置している。
【００９６】
ロック体２０２は、図１５に示すように、２つの圧縮バネ２０３が縮長させられると、３本のガイド軸２０５の先端軸部２４７側をガイド本体２０１の後壁板部１９７よりも前壁板部１９８とは反対側に突出させることになる。即ち、ロック体２０２は、２つの圧縮バネ２０３が縮長させられると、３本のガイド軸２０５の先端軸部２４７側をガイド本体２０１からその後端部よりも後方に突出させる。ロック体２０２は、３本のガイド軸２０５の先端軸部２４７をガイド本体２０１から所定量突出させる位置がロック位置となっている。ロック体２０２は、ガイド本体２０１に対し、第２搬送面部１９１に沿う方向に、少なくとも基本位置とロック位置との間で移動可能となっている。
【００９７】
摺動フレーム２４２は、板金部品であり、両端２本のガイド軸２０５の主軸部２４６に固定される複数、具体的には２つの端側固定板部２６１と、中間の１本のガイド軸２０５の主軸部２４６に固定される中間固定板部２６２と、両側の端側固定板部２６１及び中間固定板部２６２のガイド軸連結フレーム２４１側の端縁部から３本のガイド軸２０５とは反対側に延出する平板状の中間板部２６３と、中間板部２６３の３本のガイド軸２０５とは反対側の端縁部からガイド軸連結フレーム２４１側に広がる平板状の摺動板部２６４とを有している。中間固定板部２６２は、３本のガイド軸２０５を結ぶ方向の長さが両側の端側固定板部２６１よりも長くなっている。中間板部２６３は、３本のガイド軸２０５に垂直に広がる。摺動板部２６４は、３本のガイド軸２０５から等距離の位置に３本のガイド軸２０５と平行に配置されている。中間板部２６３及び摺動板部２６４は、３本のガイド軸２０５を結ぶ方向に延びている。摺動板部２６４は、端側固定板部２６１及び中間固定板部２６２とは反対側に向く摺動面２６６を有している。摺動面２６６も、３本のガイド軸２０５と平行に配置されている。摺動面２６６は、第２縦搬送ガイド板部１９２とは反対側に向いている。
【００９８】
ロック体２０２は、摺動フレーム２４２の中間固定板部２６２の長手方向両端部に固定される複数、具体的には２つのマグネット部２７１を有している。言い換えれば、２つのマグネット部２７１は、前後方向及び左右方向の位置を合わせて摺動フレーム２４２の上下に所定の間隔をあけて配設されている。
【００９９】
マグネット部２７１は、図２０に示すように、非磁性体からなり両側にマグネット部ネジ止め用孔部２７３が形成された取付台部２７４と、取付台部２７４の中央に設けられた永久磁石である磁性体エリア２７６とからなる長方体の金属部材であるマグネット部本体２７７と、磁性体エリア２７６を覆うように、図２１に示すようにマグネット部本体２７７の中央に全周にわたって巻き付けられた低摩擦係数で摺動性の高い高分子シート２８１とからなっている。
【０１００】
マグネット部２７１は、マグネット部ネジ止め用孔部２７３に挿入される、図１５，図１６に示すネジ２８５で摺動フレーム２４２の中間固定板部２６２の摺動板部２６４側に固定される。２つのマグネット部２７１は、中間固定板部２６２に固定された状態で、それぞれの中間固定板部２６２とは反対側の端面である高分子シート２８１からなる吸着摺動面２８２が、摺動フレーム２４２の摺動板部２６４の中間固定板部２６２とは反対側の端面である摺動面２６６と面一となる。なお、高分子樹脂シートの吸着摺動面２８２が、摺動板部２６４の摺動面２６６よりも、若干、摺動板部２６４の板厚方向で中間固定板部２６２とは反対側に位置していても良い。２つのマグネット部２７１の吸着摺動面２８２及び摺動板部２６４の摺動面２６６は、第２搬送面部１９１に沿って広がっており、第２搬送面部１９１とは反対側に向いている。
【０１０１】
なお、以上の着脱搬送ガイド部１２２には、給電を受ける電気部品が一切設けられていない。即ち、着脱搬送ガイド部１２２には、搬送本体部１３１を含むユニット本体９１から延びる配線は一切ない。
【０１０２】
図７に示すように、ユニット本体主体部１２１の搬送ガイド部配置スペース１２４に、着脱搬送ガイド部１２２をセットする場合、図１，図３に示す前開閉カバー１１１を開いた状態で、図７に示すように、着脱搬送ガイド部１２２を、一対の上部突出部２３１及び下部突出部２３２を上下及び後方にして、ユニット本体主体部１２１の搬送ガイド部配置スペース１２４に、前部ロック部１４１を避けて挿入することになる。なお、搬送ガイド部配置スペース１２４は、これ以外の向きでの着脱搬送ガイド部１２２の挿入を物理的に阻止するようになっている。
【０１０３】
搬送ガイド部配置スペース１２４を形成する搬送本体部１３１の下端部には、図２２，図２３に示すように、前後方向に延びる下部スライド部材２９１が設けられている。下部スライド部材２９１には、上記のように搬送ガイド部配置スペース１２４に挿入された着脱搬送ガイド部１２２の下部の下部突出部２３２を摺動させる底側スライド面部２９２が設けられている。底側スライド面部２９２は、上を向き水平に広がって前後方向に延びていて、その上を下部突出部２３２の下端縁部が摺動する。また、搬送本体部１３１の下部には、着脱搬送ガイド部１２２の下部の下部突出部２３２の右側面を案内する下側スライド面部２９３が設けられている。さらに、搬送本体部１３１の下部には、下側スライド面部２９３の上端縁部から底側スライド面部２９２とは反対側に、底側スライド面部２９２と平行に広がるセット面部２９４が設けられている。
【０１０４】
このセット面部２９４には、図２３に示すように、搬送可能状態にある着脱搬送ガイド部１２２のガイド本体２０１のベース部材本体部２３５が下端面２３７において載置されることになる。
【０１０５】
図２４，図２５に示すように、搬送本体部１３１の下部には、セット面部２９４よりも後側に、ベース部材本体部２３５がセット面部２９４に配置される際に、ベース部材本体部２３５から突出する下部突出部２３２が入り込む下部係合凹部２９５が形成されている。下部係合凹部２９５は、下部スライド部材２９１の後部位置に形成されている。下部突出部２３２は、下側スライド面部２９３で案内され、底側スライド面部２９２上を摺動して前後方向に移動することになり、後端位置において右方に移動して下部係合凹部２９５に入り込む。
【０１０６】
また、図２２，図２３に示すように、搬送本体部１３１の上部には、前後方向に延びる上部スライド部材３１１が設けられている。上部スライド部材３１１には、着脱搬送ガイド部１２２の上部突出部２３１の搬送ガイド部配置スペース１２４への挿入時における右側面を案内する上側スライド面部３１２が設けられている。上側スライド面部３１２は、下側スライド面部２９３と同一平面に配置されている。図２３に示すように、搬送本体部１３１の上部には、セット面部２９４と前後方向及び左右方向の位置を合わせて水平に広がるカバー面部３１３が設けられている。
【０１０７】
このカバー面部３１３には、搬送可能状態にある着脱搬送ガイド部１２２のガイド本体２０１のベース部材本体部２３５が、その上端面２３６の前後方向及び左右方向の位置を重ね合わせることになる。言い換えれば、カバー面部３１３は、搬送可能状態にある着脱搬送ガイド部１２２のガイド本体２０１のベース部材本体部２３５を上側で覆う。
【０１０８】
搬送本体部１３１の上部には、カバー面部３１３よりも後側に、ベース部材本体部２３５の上端面２３６がカバー面部３１３と前後方向及び左右方向の位置を重ね合わせる際に、ベース部材本体部２３５から突出する上部の上部突出部２３１が入り込む上部係合凹部３１５が形成されている。上部係合凹部３１５は、上部スライド部材３１１の後部に形成されている。上部突出部２３１は、上側スライド面部３１２で案内されて前後方向に移動することになり、後端位置において右方に移動して上部係合凹部３１５に入り込む。
【０１０９】
上部係合凹部３１５は、下部係合凹部２９５と前後方向及び左右方向の位置を合わせている。下部係合凹部２９５及び上部係合凹部３１５は、搬送ガイド部配置スペース１２４に開口している。搬送本体部１３１の下部係合凹部２９５、上部係合凹部３１５、セット面部２９４及びカバー面部３１３と、着脱搬送ガイド部１２２の上部突出部２３１、下部突出部２３２及びベース部材本体部２３５とが、搬送可能状態にある着脱搬送ガイド部１２２の第１搬送面部１７１に沿う方向の移動を規制し、第１搬送面部１７１に交差する方向の移動を許容する第１規制部３２１を構成している。よって、第１規制部３２１は、着脱搬送ガイド部１２２のガイド本体２０１と搬送本体部１３１とに設けられている。第１規制部３２１は、搬送可能状態にある着脱搬送ガイド部１２２の前方への移動、即ち引き出しを規制する。
【０１１０】
ここで、着脱搬送ガイド部１２２を搬送ガイド部配置スペース１２４に挿入し、その下部の下部突出部２３２を底側スライド面部２９２に載置させると、着脱搬送ガイド部１２２は、２つのマグネット部２７１の吸着摺動面２８２と摺動フレーム２４２の摺動板部２６４の摺動面２６６とが、ユニット側板部１７２の、第１搬送面部１７１に対向する内壁面１７３にほぼ隙間なく対向する。この内壁面１７３は、第１搬送面部１７１に沿って広がっている。ユニット側板部１７２は鋼板製であるため、２つのマグネット部２７１が磁性体エリア２７６の吸着力で、吸着摺動面２８２においてユニット側板部１７２の内壁面１７３に吸着する。
【０１１１】
なお、吸着摺動面２８２は、低摩擦係数で摺動性の高い高分子シート２８１からなっているため、ユニット側板部１７２の内壁面１７３に吸着しつつ円滑に摺動可能である。言い換えれば、２つのマグネット部２７１は、磁性体エリア２７６がマグネット部２７１をユニット側板部１７２の内壁面１７３に吸着させることになり、このように吸着させた状態でも、高分子シート２８１が、ユニット側板部１７２の内壁面１７３に対する摺動性を確保する。よって、ユニット側板部１７２の内壁面１７３は、着脱搬送ガイド部１２２を摺動させて移動を案内することになり、着脱搬送ガイド部１２２は、第１搬送面部１７１に沿って広がる内壁面１７３に摺動可能に吸着するマグネット部２７１を有している。着脱搬送ガイド部１２２の２つのマグネット部２７１の吸着摺動面２８２と摺動フレーム２４２の摺動面２６６とが内壁面１７３を摺動する。
【０１１２】
ユニット側板部１７２の内壁面１７３には、図６に示すように、複数、具体的には２つのスロープ部材３３１が前後方向及び左右方向の位置を合わせ上下に所定の間隔をあけて取り付けられている。
【０１１３】
図２６に示すように、スロープ部材３３１は、部材固定板部３３２と、部材固定板部３３２の一縁部から部材固定板部３３２の板厚方向に立ち上がる部材立上板部３３３と、部材立上板部３３３の部材固定板部３３２とは反対側の端縁部から部材固定板部３３２と平行に、部材固定板部３３２とは反対方向に広がる平板状の部材最上板部３３４と、部材最上板部３３４の部材立上板部３３３とは反対側の端縁部から部材最上板部３３４の板厚方向において部材固定板部３３２の方向に斜めに広がるスロープ板部３３５（スロープ部）とを有している。
【０１１４】
スロープ板部３３５は、部材最上板部３３４から部材最上板部３３４の板厚方向に離れるほど、部材最上板部３３４の広がる方向において部材固定板部３３２から離れるように部材最上板部３３４に対し傾斜している。部材最上板部３３４は板厚方向の部材固定板部３３２とは反対側の面が最上面部３４１となっており、スロープ板部３３５は、板厚方向の部材固定板部３３２とは反対側の面がスロープ面部３４２となっていて、これら最上面部３４１及びスロープ面部３４２は繋がっている。スロープ面部３４２も、最上面部３４１から部材最上板部３３４の板厚方向に離れるほど、最上面部３４１の広がる方向において部材固定板部３３２から離れるように最上面部３４１に対し傾斜している。
【０１１５】
部材固定板部３３２には、２つの位置決め部３５１と、これらの間のスロープ部材ネジ止め用孔部３５２とが形成されている。スロープ部材３３１は、部材固定板部３３２においてユニット側板部１７２の内壁面１７３に固定される。その際に、図６に示すように、２つの位置決め部３５１が、ユニット側板部１７２に形成された位置決め用穴部３５３に嵌合されることになり、この状態でスロープ部材ネジ止め用孔部３５２に挿入されるネジ３４５でユニット側板部１７２に固定される。ユニット側板部１７２には、その際にスロープ板部３３５が挿入されるスロープ板部挿入スリット３４７が形成されている。
【０１１６】
スロープ部材３３１は、このようにユニット側板部１７２に取り付けられた状態で、図２８に示すように、スロープ板部３３５が前端に配置される。スロープ板部３３５は、前に向くスロープ面部３４２が、ユニット側板部１７２の内壁面１７３から右方向に延出することになり、右側ほど、即ち部材最上板部３３４側ほど後側に位置するように、ユニット側板部１７２の内壁面１７３に対し傾斜する。部材最上板部３３４は、ユニット側板部１７２とは反対側の最上面部３４１がユニット側板部１７２の内壁面１７３と平行をなしており、言い換えれば、左右方向に対し直交して広がっている。
【０１１７】
図２７に示すように、ガイド本体２０１に対しロック体２０２が基本位置にある状態で、着脱搬送ガイド部１２２を搬送ガイド部配置スペース１２４に挿入し、その下部の下部突出部２３２を底側スライド面部２９２に載置させると、下部突出部２３２は、下側スライド面部２９３でユニット側板部１７２の内壁面１７３から離れる方向、即ち右方向の移動が規制されることになる。また、上部の上部突出部２３１は、上側スライド面部３１２でユニット側板部１７２の内壁面１７３から離れる方向、即ち右方向の移動が規制されることになる。
【０１１８】
この状態で、着脱搬送ガイド部１２２を搬送ガイド部配置スペース１２４に更に挿入すると、着脱搬送ガイド部１２２は、２つのマグネット部２７１の吸着摺動面２８２と摺動フレーム２４２の摺動面２６６とがユニット側板部１７２の内壁面１７３にほぼ隙間なく対向することから、図２８に示すように、吸着摺動面２８２及び摺動面２６６でユニット側板部１７２の内壁面１７３に接触し、２つのマグネット部２７１がユニット側板部１７２の内壁面１７３を吸着することになる。この状態でも、下部突出部２３２は底側スライド面部２９２に載置された状態にある。
【０１１９】
この状態で、上部突出部２３１を上側スライド面部３１２でガイドし、下部突出部２３２を下側スライド面部２９３でガイドしつつ底側スライド面部２９２に摺接させながら、図２９に示すように、着脱搬送ガイド部１２２を搬送ガイド部配置スペース１２４に更に挿入する。このとき、第１搬送面部１７１の揺動位置にある振分ゲート部材１８３から、着脱搬送ガイド部１２２の第２搬送面部１９１が全面的に離れており、着脱搬送ガイド部１２２は、第１搬送面部１７１に干渉することなく後方に移動する。
【０１２０】
そして、着脱搬送ガイド部１２２は、その後端であるガイド本体２０１の後壁板部１９７が、図３０に示すように、ユニット本体主体部１２１の搬送ガイド部配置スペース１２４に面する搬送本体部１３１の前方に向く板金面である当接面３６２に近づき、その後、当接面３６２に当接する。この状態で、ガイド本体２０１は、上部突出部２３１が、搬送本体部１３１の上部係合凹部３１５と上下方向及び前後方向の位置が合ってその左側に位置し、下部突出部２３２が、下部係合凹部２９５と上下方向及び前後方向の位置が合ってその左側に位置する。また、この状態で、ベース部材本体部２３５の下端面２３７は、搬送本体部１３１のセット面部２９４と上下方向及び前後方向の位置が合ってその左側に位置し、ベース部材本体部２３５の上端面２３６は、搬送本体部１３１のカバー面部３１３と上下方向及び前後方向の位置が合ってその左側に位置する。この状態で、ロック体２０２の摺動フレーム２４２は、スロープ部材３３１のスロープ面部３４２に当接する直前の状態にある。
【０１２１】
この状態から、着脱搬送ガイド部１２２の停止しているガイド本体２０１に対し、相対移動可能なロック体２０２を圧縮バネ２０３の付勢力に抗して搬送ガイド部配置スペース１２４に更に押し込むと、ロック体２０２の摺動フレーム２４２が中間板部２６３と摺動板部２６４との境界の角部で、スロープ部材３３１のスロープ面部３４２に当接する。そして、ロック体２０２を更に押し込むと、ロック体２０２がスロープ面部３４２で案内されて、マグネット部２７１の吸着力に抗してユニット側板部１７２の内壁面１７３から離れる方向、即ち、第１搬送面部１７１に交差する方向であって第１搬送面部１７１に近づく方向に移動する。
【０１２２】
このとき、当接面３６２に当接して押し込みが規制されていたガイド本体２０１は、当接面３６２に当接した状態のまま、ロック体２０２と共に第１搬送面部１７１に交差する方向であって第１搬送面部１７１に近づく方向に移動する。すると、ガイド本体２０１は、テンション部材２１５の付勢力でガイド本体ベース部材２１１に対し第１搬送面部１７１側に最も近づいている複数の第２搬送ローラ部２１２が、移動の初期に搬送本体部１３１の複数の第１搬送ローラ部１７６に一対一で対応して当接することになる。よって、ガイド本体２０１がロック体２０２と共に第１搬送面部１７１に近づく方向に移動すると、テンション部材２１５が弾性変形して付勢力を発生させることになり、この付勢力に抗して、ガイド本体ベース部材２１１が第１搬送面部１７１に近づく方向に移動する。言い換えれば、スロープ部材３３１のスロープ板部３３５は、着脱搬送ガイド部１２２が搬送可能状態に向けて第１搬送面部１７１に沿う方向に移動させられると、テンション部材２１５の付勢力に抗して、着脱搬送ガイド部１２２を第１搬送面部１７１に交差する方向に案内して第１搬送面部１７１に近づける。そして、ロック体２０２がその摺動板部２６４の摺動面２６６でスロープ部材３３１の最上面部３４１に乗り上げる。
【０１２３】
このようにして、ロック体２０２と共にガイド本体２０１が、ユニット側板部１７２の内壁面１７３から離れる方向、即ち、第１搬送面部１７１に交差する方向であって第１搬送面部１７１に近づく右方向に移動する。その結果、ガイド本体２０１は、上部突出部２３１が搬送本体部１３１の上部係合凹部３１５に、下部突出部２３２が搬送本体部１３１の下部係合凹部２９５に、それぞれ入り込む。すると、上部突出部２３１及び下部突出部２３２が、上部係合凹部３１５及び下部係合凹部２９５に対し左右方向の位置も合う状態になる。加えて、ベース部材本体部２３５が下端面２３７において搬送本体部１３１のセット面部２９４に載置されてセット面部２９４に対し左右方向の位置が合う状態になり、上端面２３６において搬送本体部１３１のカバー面部３１３に対し左右方向の位置が合う状態になる。この状態で、ガイド本体２０１は、搬送本体部１３１の第１搬送面部１７１を構成する振分ゲート部材１８３と第１搬送面部１７１に直交する方向の位置が重なり合う。
【０１２４】
この状態で、着脱搬送ガイド部１２２は、スロープ部材３３１によって後部の左右方向の移動、即ち第１搬送面部１７１に交差する方向の移動が規制された状態になる。
【０１２５】
また、この状態で、搬送本体部１３１のユニット後板部３６１には、ロック体２０２の３本のガイド軸２０５の先端軸部２４７のそれぞれと上下方向及び左右方向の位置を合わせて対向する位置に、図３１に示す係合孔３７１が形成されている。係合孔３７１は、複数、具体的にはガイド軸２０５と同数である３箇所形成されている。摺動板部２６４の摺動面２６６でスロープ部材３３１の最上面部３４１に乗り上げた状態のロック体２０２を、更に搬送ガイド部配置スペース１２４に押し込むと、図３１に示すように、ロック体２０２の３本のガイド軸２０５が、搬送本体部１３１の３箇所の係合孔３７１に、先端軸部２４７から入り込み主軸部２４６で嵌合する。これにより、着脱搬送ガイド部１２２は、後部の左右方向の移動、即ち第１搬送面部１７１に交差する方向の移動が規制された状態になる。
【０１２６】
よって、着脱搬送ガイド部１２２の摺動フレーム２４２及びスロープ部材３３１と、着脱搬送ガイド部１２２の３本のガイド軸２０５及び搬送本体部１３１の３箇所の係合孔３７１とが、着脱搬送ガイド部１２２の第１搬送面部１７１に交差する方向の移動を規制する後側第２規制部３８１を構成している。
【０１２７】
尚、３本あるガイド軸２０５が係留する３つの係合孔３７１は、上下方向（高さ方向）の一番上側にある係合孔３７１が真円となっており、着脱搬送ガイド部１２２の位置を決めるための基準となる。従ってこれに係留することになる最も上側のガイド軸２０５は、位置決め用のピンとして機能する。他の２つの係合孔３７１は上下方向が少し長い楕円形状を成している。これにより、部品精度や組立による寸法の誤差を吸収できるように設けられている。
【０１２８】
ロック体２０２の３本のガイド軸２０５が、搬送本体部１３１の３箇所の係合孔３７１に嵌合すると、図３１，図３２に示すように、ロック体２０２が摺動板部２６４の摺動面２６６でスロープ部材３３１の部材最上板部３３４に乗り上げた状態となり、着脱搬送ガイド部１２２は、ロック体２０２がロック位置に位置し、ガイド軸連結フレーム２４１の連結フレーム前板部２５１の前後方向の位置が、前部ロック部１４１の開放レバー１５３に係合可能な位置になる。なお、このとき、着脱搬送ガイド部１２２は、後部の左側への移動がスロープ部材３３１によって規制されるものの、前部は左側への若干の移動が可能となっている。よって、テンション部材２１５の付勢力によって、着脱搬送ガイド部１２２は、図１０，図１１に示すように、前部のガイド軸連結フレーム２４１が前部ロック部１４１の上部係止部１４２、下部係止部１４３及び解除操作部１５０との干渉を避けるように斜めとなる。
【０１２９】
そして、この状態で、着脱搬送ガイド部１２２のガイド軸連結フレーム２４１を、テンション部材２１５の付勢力に抗して、図８に示すように右側、即ち第１搬送面部１７１に交差する方向に移動させて第１搬送面部１７１に近づけると、連結フレーム前板部２５１が、開放レバー１５３の一対の係合爪１５７に当接し、これを捻りバネ１５４の付勢力に抗して回動させながら、図１０に示す上部係止部１４２及び図１１に示す下部係止部１４３に係合する。これと同時に、開放レバー１５３が捻りバネ１５４の付勢力で回動して図８に示すように一対の係合爪１５７を一対の係合穴１５８に係合させる。
【０１３０】
すると、図４に示すように、前部ロック部１４１は、一対の上部係止部１４２及び下部係止部１４３がロック体２０２の右方及び前方への移動を規制することになり、開放レバー１５３がロック体２０２の左方への移動を規制する。このようにして、前部ロック部１４１は、ロック体２０２をロック位置にロックする。これにより、着脱搬送ガイド部１２２が搬送本体部１３１に対して正規位置に固定される。このとき、第１搬送面部１７１の振分ゲート部材１８３は、先端面部１９４よりも着脱搬送ガイド部１２２内に入り込むことになる。
【０１３１】
よって、前部ロック部１４１と連結フレーム前板部２５１の一対の係合穴１５８とが、着脱搬送ガイド部１２２の第１搬送面部１７１に交差する方向の移動を規制する前側第２規制部３８２を構成している。前側第２規制部３８２は、ロック体２０２及び搬送本体部１３１に設けられ、ロック体２０２がロック位置にあるとき着脱搬送ガイド部１２２の第１搬送面部１７１に交差する方向の移動を規制することになる。
【０１３２】
以上のようにして、着脱搬送ガイド部１２２は、搬送本体部１３１とで紙葉類Ｓを搬送可能な搬送可能状態になる。第１規制部３２１は、搬送可能状態にある着脱搬送ガイド部１２２の第１搬送面部１７１に沿う方向の移動を規制し、第１搬送面部１７１に交差する方向の移動を許容することになり、後側第２規制部３８１及び前側第２規制部３８２が、搬送可能状態にある着脱搬送ガイド部１２２の第１搬送面部１７１に交差する方向の移動を規制する。これにより、着脱搬送ガイド部１２２は、搬送本体部１３１に対し位置決めされた状態になる。第１規制部３２１、後側第２規制部３８１及び前側第２規制部３８２が、着脱搬送ガイド部１２２を搬送可能状態でロックするロック機構３８５を構成している。ロック機構３８５は、着脱式の着脱搬送ガイド部１２２を搬送本体部１３１に対して固定又は解放するための開放レバー１５３を有している。
【０１３３】
紙葉類Ｓの計数作動途中に、搬送部３０に紙葉類Ｓの搬送ジャム等のトラブルが生じると、制御部３２は、搬送駆動を停止する。そして、搬送部３０上に紙葉類Ｓが残留していることを検知センサが検知した場合には、操作表示部３１に残留場所を表示するとともに、ユーザーに向け、搬送部３０上に残留している紙葉類Ｓを取り除くように促す。ここで、搬送部３０の縦搬送部２７Ｂａに紙葉類Ｓの搬送ジャム等のトラブルが生じると、先ず、制御部３２は、縦搬送部２７Ｂａに残留している紙葉類Ｓを取り除くための手順を操作表示部３１に表示する。すると、作業者は、手順に従って、前開閉カバー１１１を開いて、着脱搬送ガイド部１２２をユニット本体９１の搬送ガイド部配置スペース１２４から抜き出すことになり、言い換えれば、装置本体９５から抜き出すことになる。
【０１３４】
その場合、まず、作業者は、前部ロック部１４１の開放レバー１５３を捻りバネ１５４の付勢力に抗して手前に引いて回動させる。すると、着脱搬送ガイド部１２２は、ガイド軸連結フレーム２４１の中央部分の２箇所の係合穴１５８で係合していた開放レバー１５３の２個の係合爪１５７が外れる。即ちロック機構３８５の前側第２規制部３８２のロックが外れることになる。
【０１３５】
すると、複数のテンション部材２１５の付勢力で、着脱搬送ガイド部１２２は、前部が左側、即ち第１搬送面部１７１に交差する方向に移動して第１搬送面部１７１から離れる。このとき、着脱搬送ガイド部１２２の前部のガイド軸連結フレーム２４１は、２箇所の係合穴１５８が開放レバー１５３の２個の係合爪１５７から左方に離れ、上部係止部１４２及び下部係止部１４３からも左方に離れる。即ち、前部ロック部１４１と連結フレーム前板部２５１の一対の係合穴１５８とからなる前側第２規制部３８２による、着脱搬送ガイド部１２２の第１搬送面部１７１に交差する前方への移動規制を解除する。このとき、着脱搬送ガイド部１２２の後部は、摺動フレーム２４２がスロープ部材３３１の部材最上板部３３４に乗り上げており、３つのガイド軸２０５が搬送本体部１３１の３箇所の係合孔３７１に係合しているため、左側、即ち第１搬送面部１７１に交差する方向への移動は規制されている。即ち、摺動フレーム２４２、スロープ部材３３１、３つのガイド軸２０５及び３箇所の係合孔３７１からなる後側第２規制部３８１が、着脱搬送ガイド部１２２の第１搬送面部１７１に交差する方向の移動を規制している。よって、着脱搬送ガイド部１２２は、テンション部材２１５の付勢力によって、第１搬送面部１７１に対し前部側のみが離れるように傾斜することになる。
【０１３６】
着脱搬送ガイド部１２２は、テンション部材２１５の付勢力によって、前部が第１搬送面部１７１から離れると、前部のガイド軸連結フレーム２４１が前部ロック部１４１から離れることになり、ロック位置にあったロック体２０２の前方への移動が許容される状態になる。このため、ロック体２０２が前後方向に移動可能な状態となって圧縮バネ２０３の付勢力でガイド本体２０１に対して前方に移動する。
【０１３７】
その際に、ロック体２０２は、テンション部材２１５の付勢力によって、摺動フレーム２４２に押し付けられて移動することになり、摺動板部２６４の摺動面２６６をスロープ部材３３１の最上面部３４１に当接させた状態で摺動し、その途中で、図３３に示すように、３つのガイド軸２０５が搬送本体部１３１の３箇所の係合孔３７１から抜け出すことになる。
【０１３８】
更に、ロック体２０２が圧縮バネ２０３の付勢力でガイド本体２０１に対して前方に移動すると、ロック体２０２は、テンション部材２１５の付勢力によって、中間板部２６３と摺動板部２６４との角部をスロープ部材３３１のスロープ面部３４２に摺接させながらユニット側板部１７２の内壁面１７３に近づく。言い換えれば、ロック体２０２の後部が左側、即ち第１搬送面部１７１に交差する方向に移動して第１搬送面部１７１から離れる。すると、ロック体２０２と共にガイド本体２０１の後部が左側、即ち第１搬送面部１７１に交差する方向に移動して第１搬送面部１７１から離れる。
【０１３９】
以上のようにして、３つのガイド軸２０５と搬送本体部１３１の３箇所の係合孔３７１と摺動フレーム２４２とスロープ部材３３１とで構成される後側第２規制部３８１による着脱搬送ガイド部１２２の第１搬送面部１７１に交差する方向の移動規制が解除されると共に、ガイド本体２０１の後部に設けられた上部突出部２３１及び下部突出部２３２が、搬送本体部１３１の上部係合凹部３１５及び下部係合凹部２９５から抜け出して、上部係合凹部３１５及び下部係合凹部２９５に対し左方にずれる状態になり、ベース部材本体部２３５の下端面２３７が搬送本体部１３１のセット面部２９４に対し左方にずれる状態になって、ベース部材本体部２３５の上端面２３６が搬送本体部１３１のカバー面部３１３に対し左方にずれる状態になる。そして、下部の下部突出部２３２が底側スライド面部２９２に載置される。よって、上部突出部２３１、下部突出部２３２、上部係合凹部３１５、下部係合凹部２９５、ベース部材本体部２３５の上端面２３６、下端面２３７、搬送本体部１３１のセット面部２９４及びカバー面部３１３で構成される第１規制部３２１は、着脱搬送ガイド部１２２の第１搬送面部１７１に沿う方向の移動の規制を解除することになる。
【０１４０】
それと共に、図３４に示すように、２つのマグネット部２７１の吸着摺動面２８２と摺動フレーム２４２の摺動面２６６とがユニット側板部１７２の内壁面１７３に接触し、２つのマグネット部２７１がユニット側板部１７２の内壁面１７３を吸着することになる。この状態で、ガイド本体２０１は、搬送本体部１３１の第１搬送面部１７１を構成する振分ゲート部材１８３から第１搬送面部１７１に直交する方向に完全に離れる。
【０１４１】
即ち、この状態では、着脱搬送ガイド部１２２の第２搬送面部１９１は、搬送本体部１３１の第１搬送面部１７１と完全に離隔した状態となる。このため、着脱搬送ガイド部１２２を前方へ、部品等が干渉することなく引き出し可能となる。なお、マグネット部２７１がユニット側板部１７２の内壁面１７３に張り付くことにより、着脱搬送ガイド部１２２の上下にある上部突出部２３１及び下部突出部２３２が、搬送本体部１３１側にある下部係合凹部２９５及び上部係合凹部３１５に再び嵌まることを回避する。
【０１４２】
その後、ロック体２０２が、圧縮バネ２０３の付勢力でガイド本体２０１に対して基本位置になると、作業者は、着脱搬送ガイド部１２２を搬送ガイド部配置スペース１２４から更に手動で前方に引き出す。すると、底側スライド面部２９２に載置されたガイド本体２０１の下部突出部２３２が、下側スライド面部２９３でユニット側板部１７２の内壁面１７３から離れる方向、即ち右方向の移動が規制される状態になり、また、上部突出部２３１が、上側スライド面部３１２でユニット側板部１７２の内壁面１７３から離れる方向、即ち右方向の移動が規制されることになる。
【０１４３】
このような状態で、着脱搬送ガイド部１２２を搬送ガイド部配置スペース１２４から引き出すことで、着脱搬送ガイド部１２２は、２つのマグネット部２７１がユニット側板部１７２の内壁面１７３を吸着した状態で、第１搬送面部１７１の広がる方向である前方に摺動することになり、搬送本体部１３１の第１搬送面部１７１から第１搬送面部１７１の広がる方向に沿って離間する。
【０１４４】
このように、着脱搬送ガイド部１２２は、搬送本体部１３１とで紙葉類Ｓを搬送可能な搬送可能状態から第１搬送面部１７１に交差する方向に移動した後、第１搬送面部１７１に沿う方向に摺動して、第１搬送面部１７１から離間する。そして、着脱搬送ガイド部１２２は、最終的に、２つのマグネット部２７１がユニット側板部１７２の内壁面１７３から離れ、搬送ガイド部配置スペース１２４から抜き出されることになる。即ち、着脱搬送ガイド部１２２は、第１搬送面部１７１の広がる方向に移動して、搬送本体部１３１から離間しつつ搬送本体部１３１を含む装置本体９５から抜き出される。
【０１４５】
よって、搬送部３０の縦搬送部２７Ｂａに紙葉類Ｓのジャム等が生じると、作業者は、前開閉カバー１１１を開けた後、前部ロック部１４１の開放レバー１５３を捻りバネ１５４の付勢力に抗して回動させるというワンタッチの操作を行う。すると、着脱搬送ガイド部１２２が、テンション部材２１５の付勢力によって、前部が左側に移動すると共に、圧縮バネ２０３の付勢力によって、ロック体２０２が前方に移動して搬送ガイド部配置スペース１２４から前方に突出する。その際に、ロック体２０２が、圧縮バネ２０３の付勢力及びスロープ部材３３１の案内で、前方に移動しながら、着脱搬送ガイド部１２２の後部を、テンション部材２１５の付勢力で左側に移動させて、基本位置に戻る。
【０１４６】
その後、作業者は、着脱搬送ガイド部１２２のロック体２０２のガイド軸連結フレーム２４１を把持して着脱搬送ガイド部１２２を前方に引けば、着脱搬送ガイド部１２２を搬送ガイド部配置スペース１２４から抜き出すことができる。すなわち、作業者は、前部ロック部１４１の開放レバー１５３を開作動させて、着脱搬送ガイド部１２２を搬送ガイド部配置スペース１２４から引き出すという２アクションで、着脱搬送ガイド部１２２を搬送ガイド部配置スペース１２４から抜き出すことができる。
【０１４７】
作業者は、着脱搬送ガイド部１２２を搬送ガイド部配置スペース１２４から抜き出すことにより、着脱搬送ガイド部１２２の紙葉類Ｓを容易に取り除くことができ、空いた搬送ガイド部配置スペース１２４を介して搬送本体部１３１の紙葉類Ｓを容易に取り除くことができる。
【０１４８】
作業者は、着脱搬送ガイド部１２２及び搬送本体部１３１から紙葉類Ｓを取り除く等してジャム処理が終了したら、着脱搬送ガイド部１２２を上下左右の向きを合わせて正しい方向で搬送ガイド部配置スペース１２４に挿入する。このとき、上下左右の向きを合わせないと搬送ガイド部配置スペース１２４の入口で部材の干渉が起こり物理的に挿入ができない構造となっている。着脱搬送ガイド部１２２を上下左右の向きを合わせて正しい方向で搬送ガイド部配置スペース１２４に挿入する。その際に、作業者は、ロック体２０２のガイド軸連結フレーム２４１を把持して着脱搬送ガイド部１２２を、搬送ガイド部配置スペース１２４に挿入する。
【０１４９】
すると、その初期に、着脱搬送ガイド部１２２のガイド本体２０１が、下部突出部２３２を搬送本体部１３１の底側スライド面部２９２に載置させることになり、その後、着脱搬送ガイド部１２２のロック体２０２に設けられているマグネット部２７１が、その高分子シート２８１において、ユニット側板部１７２の内壁面１７３に張り付く。このとき、着脱搬送ガイド部１２２は、下部突出部２３２が下側スライド面部２９３で右方向の移動が規制され、上部突出部２３１が上側スライド面部３１２で右方向の移動が規制されることになる。この状態では、着脱搬送ガイド部１２２の第２搬送面部１９１と搬送本体部１３１の第１搬送面部１７１とは十分な間隔をあけた状態を維持できるため、部品干渉を生じることなく、着脱搬送ガイド部１２２が搬送ガイド部配置スペース１２４内へ進入していく。これにより、振分ゲート部材１８３の状態に拘わらずに着脱搬送ガイド部１２２を搬送ガイド部配置スペース１２４内へ挿入することができる。
【０１５０】
このような状態で、着脱搬送ガイド部１２２を搬送ガイド部配置スペース１２４に更に挿入すると、着脱搬送ガイド部１２２は、その先頭部分であるガイド本体２０１の後壁板部１９７が、搬送本体部１３１の当接面３６２に当接する。すると、着脱搬送ガイド部１２２は、ガイド本体２０１が、それ以上、後方へ進めない状態となる。
【０１５１】
この状態で、作業者が、ロック体２０２を搬送ガイド部配置スペース１２４に押し込むと、着脱搬送ガイド部１２２は、ガイド本体２０１はその位置を維持したまま、ロック体２０２のみが後方に移動する。すると、ロック体２０２は、その摺動フレーム２４２が中間板部２６３と摺動板部２６４との境界の角部で、スロープ部材３３１のスロープ面部３４２に当接し、スロープ面部３４２で案内されて最上面部３４１側に向け登っていき、マグネット部２７１の吸着力に抗してユニット側板部１７２の内壁面１７３から離れる右方に移動して、スロープ部材３３１の最上面部３４１に到達する。すると、搬送本体部１３１の当接面３６２に当接しているガイド本体２０１も右方に移動し、そのガイド本体２０１に形成された上部突出部２３１及び下部突出部２３２が搬送本体部１３１の上部係合凹部３１５及び下部係合凹部２９５に入り込み、ベース部材本体部２３５の下端面２３７が搬送本体部１３１のセット面部２９４に載置された状態になる。
【０１５２】
そして、作業者が、ロック体２０２を更に搬送ガイド部配置スペース１２４に押し込むと、ロック体２０２の３本のガイド軸２０５が、搬送本体部１３１の３箇所の係合孔３７１に嵌合する。ここまで押し込むと、ロック体２０２はロック位置に位置し、ガイド軸連結フレーム２４１の連結フレーム前板部２５１が前部ロック部１４１に係合可能な位置になる。よって、この状態で、作業者は、着脱搬送ガイド部１２２のガイド軸連結フレーム２４１を、右側に移動させて、連結フレーム前板部２５１を上部係止部１４２及び下部係止部１４３に係合させると共に、連結フレーム前板部２５１の係合穴１５８に開放レバー１５３の係合爪１５７を係合させる。このようにして、着脱搬送ガイド部１２２は、搬送本体部１３１とで紙葉類Ｓを搬送可能な搬送可能状態になる。
【０１５３】
以上のようにして、着脱搬送ガイド部１２２が搬送本体部１３１に対し正規位置に固定されて搬送可能状態になると、ユーザーは前開閉カバー１１１を閉じてジャム処理作業を終了する。
【０１５４】
即ち、作業者は、着脱搬送ガイド部１２２及び搬送本体部１３１から紙葉類Ｓを取り除き、ロック体２０２のガイド軸連結フレーム２４１を把持して着脱搬送ガイド部１２２を、搬送ガイド部配置スペース１２４に挿入し、圧縮バネ２０３の付勢力及びテンション部材２１５の付勢力に抗して押し込むと、着脱搬送ガイド部１２２が、スロープ部材３３１の案内で後部を右側にずらしながら、上部突出部２３１及び下部突出部２３２を搬送本体部１３１の上部係合凹部３１５及び下部係合凹部２９５に入り込ませた後、３本のガイド軸２０５を、３箇所の係合孔３７１に嵌合させる。その後、作業者は、ロック体２０２のガイド軸連結フレーム２４１を右に移動させて、上部係止部１４２、下部係止部１４３及び開放レバー１５３に係合させる。すると、ロック機構３８５が、着脱搬送ガイド部１２２をロックする。すなわち、作業者は、着脱搬送ガイド部１２２を、ガイド軸連結フレーム２４１を持って搬送ガイド部配置スペース１２４に押し込んだ後、ガイド軸連結フレーム２４１を右側に移動させるというワンアクションで着脱搬送ガイド部１２２を搬送本体部１３１に対しロックすることができる。
【０１５５】
以上に述べた実施形態の紙葉類処理装置１によれば、搬送本体部１３１の第１搬送面部１７１に対向し第１搬送面部１７１との間で紙葉類Ｓを搬送可能な第２搬送面部１９１を有する着脱搬送ガイド部１２２が、搬送本体部１３１とで紙葉類Ｓを搬送可能な搬送可能状態から第１搬送面部１７１に沿う方向に移動して第１搬送面部１７１から離間する。これにより、搬送本体部１３１及び着脱搬送ガイド部１２２からなる搬送部３０を開放可能としてもレイアウト的な制約を受けにくくなる。即ち、搬送部３０の周囲に開放スペースがない場合であっても、搬送部３０を形成している第１搬送面部１７１及び第２搬送面部１９１のうちの片方の第２搬送面部１９１が設けられた着脱搬送ガイド部１２２を着脱式にして第１搬送面部１７１に沿って移動させれば装置本体９５から外部へ取り出せるため、ジャム排除のためのスペースを確保できると共に、容易にジャム排除を行うことが可能となる。
【０１５６】
例えば、紙葉類処理装置１が、図３５に示すように、計数ユニット２に収容ユニット３が複数並設される場合に、計数ユニット２から最も遠い位置に配置される収容ユニット３以外の収容ユニット３は、その計数ユニット２とは反対側に収容ユニット３が配置されるため、計数ユニット２とは反対側に縦搬送部２７Ｂａを開放することができない。このような場合に、紙葉類処理装置１から前方に着脱搬送ガイド部１２２を抜き出すことで、縦搬送部２７Ｂａを開放することができる。
【０１５７】
また、着脱搬送ガイド部１２２は、搬送可能状態から第１搬送面部１７１に交差する方向に移動した後、第１搬送面部１７１に沿う方向に移動して第１搬送面部１７１から離間するため、第１搬送面部１７１からこれに交差する方向に離れた後に、第１搬送面部１７１に沿う方向に移動する。このため、搬送可能状態にある着脱搬送ガイド部１２２と搬送本体部１３１とに、第１搬送面部１７１と交差する方向において位置が重なり合う部品があっても、着脱搬送ガイド部１２２が、第１搬送面部１７１に沿う方向に移動可能となる。具体的には、振分ゲート部材１８３の開閉状態に拘わらずに着脱搬送ガイド部１２２を装置本体９５から外部へ取り出すことができ、また装置本体９５内へセットすることができる。
【０１５８】
また、着脱搬送ガイド部１２２を搬送可能状態でロックするロック機構３８５のロックを解除すると、テンション部材２１５が、着脱搬送ガイド部１２２を第１搬送面部１７１に交差する方向に移動させる。これにより、簡素な構成で、着脱搬送ガイド部１２２を第１搬送面部１７１に交差する方向に移動させることができる。
【０１５９】
また、ロック機構３８５は、第１規制部３２１が、搬送可能状態にある着脱搬送ガイド部１２２の第１搬送面部１７１に沿う方向の移動を規制することになり、後側第２規制部３８１及び前側第２規制部３８２が、搬送可能状態にある着脱搬送ガイド部１２２の第１搬送面部１７１に交差する方向の移動を規制することになる。そして、前側第２規制部３８２及び後側第２規制部３８１による着脱搬送ガイド部１２２の移動規制を解除すると、テンション部材２１５が、着脱搬送ガイド部１２２を、第１規制部３２１により移動が許容されている第１搬送面部１７１に交差する方向に移動させることになる。これにより、着脱搬送ガイド部１２２を、第１規制部３２１による第１搬送面部１７１に沿う方向の移動規制が解除された状態にすることができて、着脱搬送ガイド部１２２が第１搬送面部１７１に沿う方向に移動可能となる。よって、構成を簡素化することができる。
【０１６０】
また、ロック機構３８５は、着脱搬送ガイド部１２２のガイド本体２０１及び搬送本体部１３１に設けられた第１規制部３２１が、搬送可能状態にある着脱搬送ガイド部１２２のガイド本体２０１の第１搬送面部１７１に沿う方向の移動を規制することになり、着脱搬送ガイド部１２２のロック体２０２及び搬送本体部１３１に設けられた後側第２規制部３８１及び前側第２規制部３８２が、ロック位置にあると、搬送可能状態にある着脱搬送ガイド部１２２のロック体２０２の第１搬送面部１７１に交差する方向の移動を規制することになって、前部ロック部１４１がロック体２０２をこのロック位置にロックすることになる。そして、ロック位置にあるロック体２０２の前部ロック部１４１によるロックを解除すると、圧縮バネ２０３がロック体２０２を基本位置に移動させることになり、着脱搬送ガイド部１２２の第１搬送面部１７１に交差する方向の移動規制を解除する。すると、テンション部材２１５が、着脱搬送ガイド部１２２を、第１規制部３２１により移動が許容されている第１搬送面部１７１に交差する方向に移動させることになる。これにより、着脱搬送ガイド部１２２を、第１規制部３２１による第１搬送面部１７１に沿う方向の移動規制が解除された状態にすることができて、着脱搬送ガイド部１２２が第１搬送面部１７１に沿う方向に移動可能となる。よって、構成を更に簡素化することができる。
【０１６１】
また、着脱搬送ガイド部１２２を搬送可能状態に向けて第１搬送面部１７１に沿う方向に移動させると、スロープ板部３３５が、着脱搬送ガイド部１２２をテンション部材２１５の付勢力に抗して第１搬送面部１７１に交差する方向に案内する。これにより、着脱搬送ガイド部１２２を、第１搬送面部１７１に沿う方向に移動させる力を利用して、テンション部材２１５の付勢力に抗して第１搬送面部１７１に交差する方向に移動させることができる。
【０１６２】
また、着脱搬送ガイド部１２２が、第１搬送面部１７１に沿って広がる内壁面１７３に摺動可能に吸着するマグネット部２７１を有するため、着脱搬送ガイド部１２２を第１搬送面部１７１に沿って容易に移動させることができる。具体的に、着脱搬送ガイド部１２２は、高分子シート２８１で周囲を囲まれた状態のマグネット部２７１を有しており、着脱搬送ガイド部１２２のロック解除時には、着脱搬送ガイド部１２２が有するテンション部材２１５が着脱搬送ガイド部１２２を搬送本体部１３１から分離する方向へ移動させると、マグネット部２７１がユニット側板部１７２の内壁面１７３に接することになる。これにより、着脱搬送ガイド部１２２のユニット側板部１７２の内壁面１７３への密着度を高めたままで、摺動しやすさも確保することができる。よって、ロック解除後、確実に着脱搬送ガイド部１２２と搬送本体部１３１との隙間を確保できるため、部品（ローラ、搬送ゲートなど）と干渉することなく、着脱搬送ガイド部１２２の装置本体９５から外部への取り出しが可能となる。またこのとき、高分子シート２８１がユニット側板部１７２の内壁面１７３と摺動しながら着脱搬送ガイド部１２２が装置本体９５の外部へ取り出される。したがって、より確実に着脱搬送ガイド部１２２を装置本体９５から外部へ取り出すことができる。
【０１６３】
また、マグネット部２７１がユニット側板部１７２の内壁面１７３に張り付きながら摺動していくことに加え、着脱搬送ガイド部１２２の上下に配設されている上部突出部２３１及び下部突出部２３２が、搬送本体部１３１側に配設されている上部スライド部材３１１及び下部スライド部材２９１に摺動しながら、着脱搬送ガイド部１２２が装置本体９５の内部に挿入される、ないしは、装置本体９５の外部へ引き出される構成となっているため、着脱搬送ガイド部１２２の着脱の際に、搬送本体部１３１側の第１搬送ローラ部１７６や振分ゲート部材１８３などの部品と干渉することを回避しながら着脱できる。
【０１６４】
また、着脱搬送ガイド部１２２には、給電を受ける電気部品が設けられていないため、搬送本体部１３１側とを結ぶ電気配線がなくなる。よって、搬送可能状態にある着脱搬送ガイド部１２２を搬送本体部１３１から離す際に電気配線を外す必要がなくなる。また、着脱搬送ガイド部１２２を搬送可能状態に戻す際に、電気配線を接続する必要がなくなり、電気配線の取り回しに注意する必要性も減る。
【０１６５】
また、着脱搬送ガイド部１２２は、第１搬送面部１７１の広がる方向に移動して、第１搬送面部１７１から離間しつつ搬送本体部１３１を含む装置本体９５から抜き出されるため、着脱搬送ガイド部１２２及び搬送本体部１３１をより大きく開放することができる。
【０１６６】
また、着脱搬送ガイド部１２２が有するガイド軸２０５が位置決めピンとして働き、装置本体９５側に設けられた係合孔３７１に係合することにより、着脱搬送ガイド部１２２を装置本体９５内の正規の位置に固定することができる。
【０１６７】
また、着脱搬送ガイド部１２２を簡単な操作で、ロック解除と施錠ができる。
【０１６８】
以上の実施形態においては、縦搬送部２７Ｂａに本発明を適用する場合を例にとり説明したが、縦搬送部に限らず水平搬送部や傾斜した搬送部でも適用が可能であり、搬送部を形成している２つの第１搬送面部及び第２搬送面部のうちの一方を構成する着脱搬送ガイド部を着脱式とすることにより、特に搬送部を開くスペースが著しく限られる場合であっても、ジャム排除等の保守作業が可能となる。
【符号の説明】
【０１６９】
１  紙葉類処理装置
９５  装置本体
１２２  着脱搬送ガイド部（搬送ガイド部）
１３１  搬送本体部
１４１  前部ロック部（ロック部）
１７１  第１搬送面部
１９１  第２搬送面部
２０１  ガイド本体
２０２  ロック体
２０３  圧縮バネ（バネ手段）
２１５  テンション部材（付勢手段）
２７１  マグネット部
３２１  第１規制部
３３５  スロープ板部（スロープ部）
３８１  後側第２規制部
３８２  前側第２規制部
３８５  ロック機構
Ｓ  紙葉類
【図１】
2020050466.tif 000003
【図２】
2020050466.tif 000004
【図３】
2020050466.tif 000005
【図４】
2020050466.tif 000006
【図５】
2020050466.tif 000007
【図６】
2020050466.tif 000008
【図７】
2020050466.tif 000009
【図８】
2020050466.tif 000010
【図９】
2020050466.tif 000011
【図１０】
2020050466.tif 000012
【図１１】
2020050466.tif 000013
【図１２】
2020050466.tif 000014
【図１３】
2020050466.tif 000015
【図１４】
2020050466.tif 000016
【図１５】
2020050466.tif 000017
【図１６】
2020050466.tif 000018
【図１７】
2020050466.tif 000019
【図１８】
2020050466.tif 000020
【図１９】
2020050466.tif 000021
【図２０】
2020050466.tif 000022
【図２１】
2020050466.tif 000023
【図２２】
2020050466.tif 000024
【図２３】
2020050466.tif 000025
【図２４】
2020050466.tif 000026
【図２５】
2020050466.tif 000027
【図２６】
2020050466.tif 000028
【図２７】
2020050466.tif 000029
【図２８】
2020050466.tif 000030
【図２９】
2020050466.tif 000031
【図３０】
2020050466.tif 000032
【図３１】
2020050466.tif 000033
【図３２】
2020050466.tif 000034
【図３３】
2020050466.tif 000035
【図３４】
2020050466.tif 000036
【図３５】
2020050466.tif 000037